(57)【要約】      （修正有）【課題】電源や空気などの駆動源が無くとも作動し、作動後の開放状態を維持することなどが可能な圧力開放弁を提供する。【解決手段】弁棒１１に設けられた開放状態維持金具２２と、クサビ３１と、クサビの下側からクサビ３１を支持するクサビサポート４１と、クサビ３１を開放状態維持金具２２に向かって水平方向に押圧するクサビ用ばね３５とを有し、弁体１２が着座して閉止状態のときには、クサビが開放状態維持金具２２の外周面に当接している一方、開放状態となったときには、弁棒１１とともに開放状態維持金具２２が上方へ移動して開放状態維持金具２２へのクサビ３１の当接が解除されるため、クサビ３１が、クサビ用ばね３５に押圧されて開放状態維持金具２２の下側へと水平方向に移動してクサビサポート４１とともに開放状態維持金具の下側から開放状態維持金具２２を支持することにより、前記開放状態を維持する構成とする。【選択図】図１
2014047790.tif 000002
【特許請求の範囲】
【請求項１】
弁棒と前記弁棒の下端に固定された弁体とを弁体用ばねによって下方へ押圧することにより、前記弁体が着座して閉止状態となる構成の圧力開放弁において、
前記弁棒に設けられた開放状態維持部材と、
クサビと、
前記クサビの下側から前記クサビを支持するクサビ支持部材と、
前記クサビを前記開放状態維持部材に向かって水平方向に押圧するクサビ用ばねとを有しており、
前記弁体が着座して閉止状態となっているときには、前記クサビが前記開放状態維持部材の外周面に当接している一方、
前記弁体及び前記弁棒が上方へ移動して開放状態となったときには、前記弁棒とともに前記開放状態維持部材が上方へ移動して前記開放状態維持部材への前記クサビの当接が解除されるため、前記クサビが、前記クサビ用ばねに押圧されて前記開放状態維持部材の下側へと水平方向に移動して前記クサビ支持部材とともに前記開放状態維持部材の下側から前記開放状態維持部材を支持することにより、前記開放状態を維持する構成であることを特徴とする圧力開放弁。
【請求項２】
請求項１に記載の圧力開放弁において、
前記開放状態維持部材の外周面に当接する前記クサビの当接面が、前記開放状態維持部材へ向かうにしたがって下方へ傾斜している傾斜面であることを特徴とする圧力開放弁。
【請求項３】
請求項１又は２に記載の圧力開放弁において、
前記クサビ支持部材は水平に延びたクサビサポートであり、
前記クサビサポートは前記クサビを支持するとともに前記クサビの水平移動を案内することを特徴とする圧力開放弁。
【請求項４】
請求項１〜３の何れか１項に記載の圧力開放弁において、
前記クサビは、前記クサビの基端部に水平に突設された軸部と、前記軸部の先端に設けられてクサビ引き出し用治具と係合する頭部とを有して成るクサビ引き出し部材を有していることを特徴とする圧力開放弁。
【請求項５】
請求項１〜４の何れか１項に記載の圧力開放弁において、
前記クサビが箱内に設けられており、
前記箱には、前記箱の外から前記クサビを覗くための覗き窓が設けられていることを特徴とする圧力開放弁。
【請求項６】
請求項１〜４の何れか１項に記載の圧力開放弁において、
前記クサビは箱内に設けられており、
前記クサビの先端側には延長部が設けられ、
前記クサビが前記クサビ用ばねに押圧されて水平方向に移動したとき、前記延長部の先端部分が、前記箱に形成されたクサビ確認用の開口から前記箱の外へ出る構成であることを特徴とする圧力開放弁。
【請求項７】
請求項１〜６の何れか１項に記載の圧力開放弁において、
前記クサビは、先端側が二股に分かれて第１支持部と第２支持部とになっており、
前記クサビが前記クサビ用ばねに押圧されて水平方向に移動したとき、前記弁棒の左右両側において前記第１支持部と前記第２支持部とが前記開放状態維持部材を支持する構成であることを特徴とする圧力開放弁。
【請求項８】
請求項１〜７の何れか１項に記載の圧力開放弁において、
前記開放状態維持部材は、前記弁棒のネジ部に螺合されて前記弁棒に取り付けられた開放状態維持金具であることを特徴とする圧力開放弁。
【請求項９】
請求項１〜７の何れか１項に記載の圧力開放弁において、
前記開放状態維持部材は、前記弁棒に設けられて前記弁体用ばねのばね受け座を支持しているステップリングであることを特徴とする圧力開放弁。
【請求項１０】
請求項１〜９の何れか１項に記載の圧力開放弁において、
前記弁棒に設けられた揚弁部材と、
前記水平に延びており、先端部の回動軸回りに上方へ回動して前記揚弁部材を押し上げる構成の第１開放レバーと、
Ｌ字状に屈曲しており、先端部の回動軸回りに上方へ回動して屈曲部が前記第１開放レバーの基端部を押し上げる構成の第２開放レバーとを有することを特徴とする圧力開放弁。
【発明の詳細な説明】
【技術分野】
【０００１】
本発明は圧力開放弁に関し、容器などの機器内の圧力が何らかの要因によって異常に上昇したときに当該圧力を開放する場合に適用して有用なものである。
【背景技術】
【０００２】
平成２３年３月に発生した東京電力福島第一原子力発電所の事故においては、全電源が喪失して過酷事故に至り、大量の放射性物質が環境中に放出された。この教訓をもとに、電源が無くても原子力発電所を含めた原子力プラントにおいても安全な状態に保つ方策が求められている。
【０００３】
そして、かかる安全策の一つとして、現在、原子力発電所などのプラントにおける容器などの機器内の流体の圧力が何らかの要因によって上昇したことを想定し、その圧力を開放することができる装置が求められている。この圧力開放装置は次の４つの要求を満足することが必要である。なお、下記の第４要求（開放状態維持）は、機器の内圧を十分に低下させるための重要な機能である。
（第１要求）作動に電源や空気などの駆動源を必要としないこと。
（第２要求）作動試験が可能であること。
（第３要求）復旧して再使用が可能であること。且つ、再使用に当たっては第２要求のとおり、作動試験を行い性能を確認できること。
（第４要求）作動（開放）後に機器内の圧力が低下しても開放状態を維持し、雰囲気圧力まで低下させることができること。
【０００４】
一方、機器内の流体の圧力が何らかの要因により上昇した場合、その圧力を開放することができる従来の一般的な装置としては、次のような装置がある。
（１）  圧力を検知し、その信号によって開放する弁
（２）  安全弁
（３）  破裂板
【０００５】
なお、上記のなかで本発明の圧力開放弁に最も近い装置は安全弁であり、当該安全弁の一例が開示されている先行技術文献としては、例えば下記の特許文献１（段落［０００４］等を参照）がある。
【先行技術文献】
【特許文献】
【０００６】
【特許文献１】特開平１１−６３２６３号公報
【発明の概要】
【発明が解決しようとする課題】
【０００７】
上記の如く機器内の圧力を開放することができる従来の一般的な装置としては、圧力を検知し、その信号によって開放する弁と、安全弁と、破裂板があるが、これらの装置は何れも下記に述べるとおり、前記４つの要求の全てを満足することはできない。
【０００８】
（１）  圧力を検知し、その信号によって開放する弁は、前記第２要求、第３要求及び第４要求を満足することができるが、制御信号の電源や弁の動力電源が必要であり、電源が無い状態では作動することができないことから、前記第１要求を満足することができない。
（２）  安全弁は、使用する流体のエネルギー以外のエネルギーの助けを借りることなく作動（開放）して、機器の内圧が予め設定した圧力を超えることを防止することができるものであるため、電源や空気などの駆動源が無くとも作動して圧力を開放することが可能であり、又、作動試験も可能で、且つ、所定の圧力で自動的に復旧して再使用も可能であることから、前記第１要求、第２要求及び第３要求を満足することができる。
しかし、安全弁は、作動後に機器の内圧が所定の圧力（吹き止まり圧力）まで低下すると自動的に閉止する（吹き止まる）ものであるため、前記第４要求を満足することができない。
（３）  破裂板は、安全弁と同様に作動に電源や空気などの駆動源を必要とせず、且つ、作動後に開放状態を維持することもできるため、前記第１要求及び第４要求を満足することができる。
しかし、破裂板は、機器に設置する破裂板自身の作動試験を行うことができず、破裂板の製作ロットからのサンプリング試験を行うことになる。従って、機器の内圧が所定の圧力になっても、当該機器に設置した破裂板が破裂しない可能性や誤破裂する可能性がある。また、破裂板を復旧させるためには、破裂板の交換が必要である。このため、破裂板は、前記第２要求及び第３要求を満足することができない。
【０００９】
従って、本発明はかかる事情に鑑み、前記４つの要求を満足することも含めた下記の開発テーマを達成することが可能な圧力開放弁を提供することを課題とする。
（１）  電源や空気などの駆動源が無くとも、所定の設定圧力において自動的に作動して、圧力を開放できること。
（２）  作動試験が可能であること。
（３）  再使用（復旧）が可能であること。
（４）  作動（開放）後、機器の内圧が低下しても開放状態を維持し、雰囲気圧力まで低下させることが可能であること。
（５）  作動（開放）したこと及び開放状態が維持されていることを外部から容易に確認できること。
【課題を解決するための手段】
【００１０】
上記課題を解決する第１発明の圧力開放弁は、弁棒と前記弁棒の下端に固定された弁体とを弁体用ばねによって下方へ押圧することにより、前記弁体が着座して閉止状態となる構成の圧力開放弁において、
前記弁棒に設けられた開放状態維持部材と、
クサビと、
前記クサビの下側から前記クサビを支持するクサビ支持部材と、
前記クサビを前記開放状態維持部材に向かって水平方向に押圧するクサビ用ばねとを有しており、
前記弁体が着座して閉止状態となっているときには、前記クサビが前記開放状態維持部材の外周面に当接している一方、
前記弁体及び前記弁棒が上方へ移動して開放状態となったときには、前記弁棒とともに前記開放状態維持部材が上方へ移動して前記開放状態維持部材への前記クサビの当接が解除されるため、前記クサビが、前記クサビ用ばねに押圧されて前記開放状態維持部材の下側へと水平方向に移動して前記クサビ支持部材とともに前記開放状態維持部材の下側から前記開放状態維持部材を支持することにより、前記開放状態を維持する構成であることを特徴とする。
【００１１】
また、第２発明の圧力開放弁は、第１発明の圧力開放弁において、
前記開放状態維持部材の外周面に当接する前記クサビの当接面が、前記開放状態維持部材へ向かうにしたがって下方へ傾斜している傾斜面であることを特徴とする。
【００１２】
また、第３発明の圧力開放弁は、第１又は第２発明の圧力開放弁において、
前記クサビ支持部材は水平に延びたクサビサポートであり、
前記クサビサポートは前記クサビを支持するとともに前記クサビの水平移動を案内することを特徴とする。
【００１３】
また、第４発明の圧力開放弁は、第１〜第３発明の何れか１つの圧力開放弁において、
前記クサビは、前記クサビの基端部に水平に突設された軸部と、前記軸部の先端に設けられてクサビ引き出し用治具と係合する頭部とを有して成るクサビ引き出し部材を有していることを特徴とする。
【００１４】
また、第５発明の圧力開放弁は、第１〜第４発明の何れか１つの圧力開放弁において、
前記クサビが箱内に設けられており、
前記箱には、前記箱の外から前記クサビを覗くための覗き窓が設けられていることを特徴とする。
【００１５】
また、第６発明の圧力開放弁は、第１〜第４発明の何れか１つの圧力開放弁において、
前記クサビは箱内に設けられており、
前記クサビの先端側には延長部が設けられ、
前記クサビが前記クサビ用ばねに押圧されて水平方向に移動したとき、前記延長部の先端部分が、前記箱に形成されたクサビ確認用の開口から前記箱の外へ出る構成であることを特徴とする。
【００１６】
また、第７発明の圧力開放弁は、第１〜第６発明の何れか１つに記載の圧力開放弁において、
前記クサビは、先端側が二股に分かれて第１支持部と第２支持部とになっており、
前記クサビが前記クサビ用ばねに押圧されて水平方向に移動したとき、前記弁棒の左右両側において前記第１支持部と前記第２支持部とが前記開放状態維持部材を支持する構成であることを特徴とする。
【００１７】
また、第８発明の圧力開放弁は、第１〜第７発明の何れか１つに記載の圧力開放弁において、
前記開放状態維持部材は、前記弁棒のネジ部に螺合されて前記弁棒に取り付けられた開放状態維持金具であることを特徴とする。
【００１８】
また、第９発明の圧力開放弁は、第１〜第７発明の何れか１つに記載の圧力開放弁において、
前記開放状態維持部材は、前記弁棒に設けられて前記弁体用ばねのばね受け座を支持しているステップリングであることを特徴とする。
【００１９】
また、第１０発明の圧力開放弁は、第１〜第９発明の何れか１つに記載の圧力開放弁において、
前記弁棒に設けられた揚弁部材と、
前記水平に延びており、先端部の回動軸回りに上方へ回動して前記揚弁部材を押し上げる構成の第１開放レバーと、
Ｌ字状に屈曲しており、先端部の回動軸回りに上方へ回動して屈曲部が前記第１開放レバーの基端部を押し上げる構成の第２開放レバーとを有することを特徴とする。
【発明の効果】
【００２０】
第１発明の圧力開放弁によれば、弁棒と前記弁棒の下端に固定された弁体とを弁体用ばねによって下方へ押圧することにより、前記弁体が着座して閉止状態となる構成の圧力開放弁において、前記弁棒に設けられた開放状態維持部材と、クサビと、前記クサビの下側から前記クサビを支持するクサビ支持部材と、前記クサビを前記開放状態維持部材に向かって水平方向に押圧するクサビ用ばねとを有しており、前記弁体が着座して閉止状態となっているときには、前記クサビが前記開放状態維持部材の外周面に当接している一方、前記弁体及び前記弁棒が上方へ移動して開放状態となったときには、前記弁棒とともに前記開放状態維持部材が上方へ移動して前記開放状態維持部材への前記クサビの当接が解除されるため、前記クサビが、前記クサビ用ばねに押圧されて前記開放状態維持部材の下側へと水平方向に移動して前記クサビ支持部材とともに前記開放状態維持部材の下側から前記開放状態維持部材を支持することにより、前記開放状態を維持する構成であることを特徴としているため、前記４つの要求を全て満足することができる。
【００２１】
即ち、本圧力開放弁は、電源や空気などの駆動源が無くとも、本圧力開放弁が設置された機器の内圧が設定圧力（吹き出し圧力）以上になると、自動的に作動して圧力を開放することができる。従って、本圧力開放弁は前記第１要求を満足する。
また、本圧力開放弁は、機器に設置する圧力開放弁自身の作動試験を行うことができる。従って、本圧力開放弁は前記第２要求も満足する。
また、本圧力開放弁は、作動後に開放状態維持部材の下側からクサビを引き出せば待機状態（閉止状態）に復旧するため、再使用が可能である。従って、本圧力開放弁は前記第３要求も満足する。
また、本圧力開放弁は、作動（開放）後にクサビ及びクサビ支持部材によって開放状態維持部材を支持するため、作動（開放）後に機器内の圧力が低下しても開放状態を維持し、雰囲気圧力まで低下させることができる。従って、本圧力開放弁は前記第４要求も満足する。
【００２２】
第２発明の圧力開放弁によれば、第１発明の圧力開放弁において、前記開放状態維持部材の外周面に当接する前記クサビの当接面が、前記開放状態維持部材へ向かうにしたがって下方へ傾斜している傾斜面であることを特徴としており、クサビの形状を変更しても圧力開放弁の開放状態を維持することができる。
【００２３】
第３発明の圧力開放弁によれば、第１又は第２発明の圧力開放弁において、前記クサビ支持部材は水平に延びたクサビサポートであり、前記クサビサポートは前記クサビを支持するとともに前記クサビの水平移動を案内することを特徴としているため、クサビサポートによって、クサビを支持するだけなく、より確実にクサビを開放状態維持部材の下側へ水平方向に移動させることができる。
【００２４】
第４発明の圧力開放弁によれば、第１〜第３発明の何れか１つの圧力開放弁において、前記クサビは、前記クサビの基端部に水平に突設された軸部と、前記軸部の先端に設けられてクサビ引き出し用治具と係合する頭部とを有して成るクサビ引き出し部材を有していることを特徴としているため、クサビ引き出し部材とクサビ引き出し用治具とを用いて、クサビを開放状態維持部材の下側から容易に引き出し、圧力開放弁を容易に復旧することができる。
【００２５】
第５発明の圧力開放弁によれば、第１〜第４発明の何れか１つの圧力開放弁において、前記クサビが箱内に設けられており、前記箱には、前記箱の外から前記クサビを覗くための覗き窓が設けられていることを特徴としているため、覗き窓からクサビの状態を観察することにより、圧力開放弁が作動（開放）したこと及び圧力開放弁の開放状態が維持されていることを外部から容易に確認することができる。
【００２６】
第６発明の圧力開放弁によれば、第１〜第４発明の何れか１つの圧力開放弁において、前記クサビは箱内に設けられており、前記クサビの先端側には延長部が設けられ、前記クサビが前記クサビ用ばねに押圧されて水平方向に移動したとき、前記延長部の先端部分が、前記箱に形成されたクサビ確認用の開口から前記箱の外へ出る構成であることを特徴としているため、クサビ延長部の先端部分がクサビ確認用の開口から外へ出ている状態を観察することにより、圧力開放弁が作動（開放）したこと及び圧力開放弁の開放状態が維持されていることを外部から容易に確認することができる。
【００２７】
第７発明の圧力開放弁によれば、第１〜第６発明の何れか１つに記載の圧力開放弁において、前記クサビは、先端側が二股に分かれて第１支持部と第２支持部とになっており、前記クサビが前記クサビ用ばねに押圧されて水平方向に移動したとき、前記弁棒の左右両側において前記第１支持部と前記第２支持部とが前記開放状態維持部材を支持する構成であることを特徴としているため、クサビの第１支持部と第２支持部とによって、より確実に開放状態維持部材を支持することができる。
【００２８】
第８発明の圧力開放弁によれば、第１〜第７発明の何れか１つに記載の圧力開放弁において、前記開放状態維持部材は、前記弁棒のネジ部に螺合されて前記弁棒に取り付けられた開放状態維持金具であることを特徴としているため、弁棒のネジ部に対する開放状態維持金具の螺合位置を調整することにより、開放状態維持金具とクサビとの位置関係を容易に調整することができる。
【００２９】
第９発明の圧力開放弁によれば、第１〜第７発明の何れか１つに記載の圧力開放弁において、前記開放状態維持部材は、前記弁棒に設けられて前記弁体用ばねのばね受け座を支持しているステップリングであることを特徴としているため、ステップリングを開放状態維持部材として利用したことにより、開放状態を維持するための専用の部材を開放状態維持部材として設ける場合に比べて、部品点数の低減などを図ることができる。
【００３０】
第１０発明の圧力開放弁によれば、第１〜第９発明の何れか１つに記載の圧力開放弁において、前記弁棒に設けられた揚弁部材と、前記水平に延びており、先端部の回動軸回りに上方へ回動して前記揚弁部材を押し上げる構成の第１開放レバーと、Ｌ字状に屈曲しており、先端部の回動軸回りに上方へ回動して屈曲部が前記第１開放レバーの基端部を押し上げる構成の第２開放レバーとを有することを特徴としているため、第１開放レバーと第２開放レバーによって揚弁部材を押し上げると、開放状態維持部材も上がるため、弁体用ばねの弾性力が非常に強くても、クサビを開放状態維持部材の下側から容易に引き出し、圧力開放弁を容易に復旧することができる。
【図面の簡単な説明】
【００３１】
【図１】（ａ）は本発明の実施の形態例１に係る圧力開放弁の待機時の状態を示す断面図、（ｂ）は（ａ）のＡ１−Ａ１線矢視部の断面図である。
【図２】図１（ａ）のＢ１−Ｂ１線矢視部の拡大断面図である。
【図３】図１（ａ）のＣ１部の断面拡大図である。
【図４】本発明の実施の形態例１に係る圧力開放弁の作動（開放及び開放状態維持）時の状態を示す断面図である。
【図５】図４のＤ１−Ｄ１線矢視部の拡大断面図である。
【図６】図４のＥ１部の拡大断面図である。
【図７】本発明の実施の形態例１に係る圧力開放弁の復旧時の状態を示す断面図である。
【図８】図７のＦ１−Ｆ１線矢視部の拡大断面図である。
【図９】図７のＧ１部の拡大断面図である。
【図１０】（ａ）は本発明の実施の形態例２に係る圧力開放弁の待機時の状態を示す断面図、（ｂ）は（ａ）のＡ２−Ａ２線矢視部の断面図である。
【図１１】図１０（ａ）のＢ２−Ｂ２線矢視部の拡大断面図である。
【図１２】図１０（ａ）のＣ２部の拡大断面図である。
【図１３】本発明の実施の形態例２に係る圧力開放弁の作動（開放及び開放状態維持）時の状態を示す断面図である。
【図１４】図１３のＤ２−Ｄ２線矢視部の拡大断面図である。
【図１５】図１３のＥ２部の拡大断面図である。
【図１６】本発明の実施の形態例２に係る圧力開放弁の復旧時の状態を示す断面図である。
【図１７】図１６のＦ２−Ｆ２線矢視部の拡大断面図である。
【図１８】図１６のＧ２部の拡大断面図である。
【図１９】（ａ）は本発明の実施の形態例３に係る圧力開放弁の待機時の状態を示す断面図、（ｂ）は（ａ）のＡ３−Ａ３線矢視部の断面図、（ｃ）は（ｂ）のＤ３−Ｄ３線矢視部の断面図である。
【図２０】図１９（ａ）のＢ３−Ｂ３線矢視部の拡大断面図である。
【図２１】図１９（ａ）のＣ３部の拡大断面図である。
【図２２】本発明の実施の形態例３に係る圧力開放弁の作動（開放及び開放状態維持）時の状態を示す断面図である。
【図２３】図２２のＥ３−Ｅ３線矢視部の拡大断面図である。
【図２４】図２２のＦ３部の拡大断面図である。
【図２５】（ａ）は本発明の実施の形態例３に係る圧力開放弁の復旧時の状態を示す断面図、（ｂ）は（ａ）のＧ３−Ｇ３線矢視部の断面図である。
【図２６】図２５（ａ）のＨ３−Ｈ３線矢視部の拡大断面図である。
【図２７】図２５（ａ）のＩ３部の拡大断面図である。
【図２８】（ａ）は本発明の実施の形態例４に係る圧力開放弁の待機時の状態を示す断面図、（ｂ）は（ａ）のＡ４−Ａ４線矢視部の断面図、（ｃ）は（ｂ）のＤ４−Ｄ４線矢視部の断面図である。
【図２９】図２８（ａ）のＢ４−Ｂ４線矢視部の拡大断面図である。
【図３０】図２８（ａ）のＣ４部の拡大断面図である。
【図３１】本発明の実施の形態例４に係る圧力開放弁の作動（開放及び開放状態維持）時の状態を示す断面図である。
【図３２】図３１のＥ４−Ｅ４線矢視部の拡大断面図である。
【図３３】図３１のＦ４部の拡大断面図である。
【図３４】（ａ）は本発明の実施の形態例４に係る圧力開放弁の復旧時の状態を示す断面図、（ｂ）は（ａ）のＧ４−Ｇ４線矢視部の断面図である。
【図３５】図３４（ａ）のＨ４−Ｈ４線矢視部の拡大断面図である。
【図３６】図３４（ａ）のＩ４部の拡大断面図である。
【発明を実施するための形態】
【００３２】
以下、本発明の実施の形態例を図面に基づいて詳細に説明する。
【００３３】
＜実施の形態例１＞
図１〜図９に基づき、本発明の実施の形態例１に係る圧力開放弁１について詳細に説明する。図１〜図３には圧力開放弁１の待機（閉止）時の状態を示し、図４〜図６には圧力開放弁１の作動（開放及び開放状態維持）時の状態を示し、図７〜図９には圧力開放弁１の復旧時の状態を示している。
【００３４】
まず、図１〜図３に基づき、本実施の形態例１の圧力開放弁１の構成について説明する。
【００３５】
圧力開放弁１は、弁箱２と、弁箱２の上に設置されたばね箱３と、ばね箱３の上に設置されたクサビ箱４（一般に帽子とも称される）とを有し、これらによって弁全体を覆う構成となっている。弁箱２とばね箱３はボルト５及びナット６によって結合され、ばね箱３とクサビ箱４はボルト７及びナット８によって結合されている。
【００３６】
弁棒１１は、弁箱２内、ばね箱３内及びクサビ箱４内において中央部に位置し、これらの弁箱２からクサビ箱４に亘って上下方向（即ち鉛直方向）に延びている。弁箱２内に設けられた弁体１２は、弁棒１１の下端に固定されており、弁棒１１とともに上下方向に移動することができる。
【００３７】
弁箱２の下面２ｃには流体入口２ａが形成され、弁箱２の側面２ｄには流体出口２ｂが形成されている。弁箱２の流体入口２ａは、内部に気体（例えば不活性ガス）を有する容器などの機器（図示せず）に接続された配管１０に接続されている。なお、本発明の圧力開放弁１は、不活性ガスなどの気体の圧力を開放する場合に限定するものではなく、水などの液体の圧力を開放する場合にも適用することができ、且つ配管１０を介さず、溶接又はフランジにより直接容器などの機器に接続することも可能である。
【００３８】
弁箱２内には、流体入口２ａの周囲を囲むようにして弁座２ｅが形成されている。この弁座２ｅに弁体１２の下面１２ａが当接（着座）すると、圧力開放弁１は閉止状態となる一方、弁体１２の下面１２ａが弁座２ｅから離れると、圧力開放弁１は開放状態となる。
【００３９】
弁箱２の上面２ｆに形成された貫通穴２ｇには、円筒状の弁棒ガイド１３が嵌挿されている。弁棒１１は、この弁棒ガイド１３に軸方向（即ち鉛直方向）へ移動可能に挿通されている。また、弁箱２内に設けられたベローズ１４は、弁棒ガイド１３及び弁棒１１の周囲を囲み、上端が弁箱２の上面２ｆに接続され、下端が弁体１２の上面１２ｂに接続されている。このため、弁箱２内を流れる流体が弁棒ガイド１３内を通ってばね箱３へ流出するのを、ベローズ１４によって防ぐことができる。なお、本実施の形態例１は、このベローズ１４の設置有無によらない。
【００４０】
ばね箱３内に設けられた弁体用ばね１５は、コイル状のものである。ばね箱３内において、弁体用ばね１５の上端には円環状のばね押え座１６が設けられ、弁体用ばね１５の下端には円環状のばね受け座１７が設けられている。
【００４１】
ばね箱３内において、弁棒１１の外周面には円板状のステップリング２１が突設されている（弁棒１１と一体に形成されている）。ステップリング２１は、ばね受け座１７の下側からばね受け座１７を支持している。
【００４２】
一方、ばね箱３の上面３ａには、調整ネジ１８のためのネジ穴３ｂが形成されている。調整ネジ１８は円筒状のものであり、外周面にネジ部１８ａが形成されている。調整ネジ１８は、そのネジ部１８ａがネジ穴３ｂに螺合されてネジ穴３ｂに挿通されている。また、クサビ箱４内において、調整ネジ１８の外周面（ネジ部）１８ａには調整ネジロックナット１９が螺合されている。従って、調整ネジ１８の位置は、調整ネジロックナット１９によって固定される。また、ばね箱３内において、調整ネジ１８はばね押え座１６に回転可能に連結されている。
【００４３】
調整ネジ１８は、弁体用ばね１５の弾性力（ばね力）を調整することによって圧力開放弁１の設定圧力（吹き出し圧力）を調節するためのものである。調整ネジ１８を一方向へ回転させると、調整ネジ１８が下方へ移動してばね押え座１６が押し下げられることにより、弁体用ばね１５が縮んで弁体用ばね１５の弾性力が大きくなるため、前記設定圧力が高くなる。調整ネジ１８を他方向へ回転させると、調整ネジ１８が上方へ移動してばね押え座１６が上方へ移動することにより、弁体用ばね１５が伸びて弁体用ばね１５の弾性力が小さくなるため、前記設定圧力が低くなる。
【００４４】
ばね押え座１６には回り止めピン２０が突設されている。回り止めピン２０は、ばね箱３に形成されたピン穴３ｃに挿通され、ばね箱３に係止される。このため、調整ネジ１８を回転させたとき、ばね押え座１６が調整ネジ１８とともに回転するのを、回り止めピン２０によって防止する機能を有している。
【００４５】
弁棒１１は、調整ネジ１８、ばね押え座１６、弁体用ばね１５及びばね受け座１７に軸方向（即ち鉛直方向）へ移動可能に挿通されている。
【００４６】
弁棒１１の外周面の上部には、ネジ部１１ａが形成されている。この弁棒１１のネジ部１１ａには、下から上へ順に開放状態維持金具２２（開放状態維持部材）と、開放状態維持金具ロックナット２３と、揚弁金具２４（揚弁部材）と、揚弁金具ロックナット２５とが螺合されている。開放状態維持金具２２の位置は開放状態維持金具ロックナット２３によって固定され、揚弁金具２４の位置は揚弁金具ロックナット２５によって固定される。
【００４７】
また、クサビ箱４には、第１開放レバー２６と、第２開放レバー２７とが設けられている。
【００４８】
第１開放レバー２６は水平に延びており、揚弁金具２４の下側に配設されている。第１開放レバー２６の先端部２６ａと、クサビ箱４の側面の一方側に形成された回動軸支持部４ａには回動軸２８が挿通されている。従って、第１開放レバー２６は、回動軸２８回りに上下に回動することができる。また、第１開放レバー２６は、基端側が１本の棒状である一方、先端側が二股に分かれて第１レバー部２６ｃと第２レバー部２６ｄとになっており、こられの第１レバー部２６ｃと第２レバー部２６ｄがそれぞれ弁棒１１の左右両側において揚弁金具２４の下側に位置している。
【００４９】
第２開放レバー２７はＬ字状に屈曲されており、第１開放レバー２６の下側に配設されている。第２開放レバー２７の先端部２７ａと、クサビ箱４の側面の他方側に形成された回動軸支持部４ｂには、回動軸２９が挿通されている。従って、第２開放レバー２６は、回動軸２９回りに上下に回動することができる。また、第２開放レバー２７の屈曲部２７ｂは、第１開放レバー２６の基端部２６ｂの下側から当該基端部２６ｂに当接している。
【００５０】
そして、本実施の形態例１の圧力開放弁１では、作動（開放）後の圧力開放弁１の開放状態を維持するためのクサビ３１が、開放状態維持金具２２の側方に配設されている。
【００５１】
クサビ３１は、先端側の本体部３１ａと基端部３１ｂとを有し、水平に配設されている。クサビ３１の本体部３１ａは、側面視（図１，図３）における上下方向の厚さが一定になっている。また、クサビ３１の本体部３１ａは、平面視（図２）がＵ字状になっている。即ち、クサビ３１の本体部３１ａは、先端側が二股に分かれて第１支持部３１ｃと第２支持部３１ｄとになっている。
【００５２】
クサビ箱４の側面には、クサビ挿入用の開口４ｃが形成されている。クサビ挿入用の開口４ｃは、クサビサポート取付部材３２によって塞がれている。クサビサポート取付部材３２は断面がコの字状の部材であり、その開口側にフランジ部３２ａが形成されている。クサビサポート取付部材３２のフランジ部３２ａと、クサビ挿入用開口４ｃのフランジ部４ｄは、ボルト４３とナット３４によって結合されている。
【００５３】
クサビ用ばね３５はコイル状のものであり、クサビサポート取付部材３２内においてクサビ３１の基端部３１ｂと、クサビサポート取付部材３２の側面３２ｂとの間に介設され、クサビ３１を開放状態維持金具２２に向かって水平方向に押圧している。
【００５４】
圧力開放弁１が閉止状態（待機状態）のとき、即ち弁体１２が弁体用ばね１５に押圧されて着座（弁座２ｅに当接）しているとき、クサビ３１は、クサビ用ばね３５に押圧されて、第１支持部３１ｃと第２支持部３１ｄが開放状態維持金具２２の外周面２２ａに当接する。換言すると、弁棒１１（ネジ部１１ａ）に対する開放状態維持金具２２の取り付け位置（螺合位置）を調節することによって、圧力開放弁１が閉止状態のときに開放状態維持金具２２とクサビ３１とが互いに当接するようにしている。
【００５５】
また、クサビ３１は、二股の底面（第１支持部３１ｃと第２支持部３１ｄの間の面）３１ｅが、弁棒１１と対向している。
【００５６】
クサビ３１の基端部３１ｂには、クサビ引き出し金具３３（クサビ引き出し部材）が設けられている。クサビ引き出し金具３３は、クサビ３１の基端部３１ｂに水平に突設された軸部３３ａと、この軸部３３ａの先端に設けられた頭部３３ｂとを有して成るものである。軸部３３ａはクサビサポート取付部材３２の側面３２ｂに形成された貫通穴３２ｃに挿通されてクサビサポート取付部材３２の外側へと延びており、頭部３３ｂはクサビサポート取付部材３２の外側に位置している。頭部３３ｂはクサビ引き出し用治具４２（図７〜図９を参照：詳細後述）に係合させるための部分である。
【００５７】
また、クサビ３１の下側にはクサビサポート４１（クサビ支持部材）が設けられている。クサビ３１は、クサビサポート４１の上に設置され、クサビ箱４のクサビ挿入用開口４ｃを通ってクサビ箱４内にまで水平に延びている。クサビサポート４１はクサビ３１の下側からクサビ３１を支持するためのものであり、クサビサポート取付部材３２内においてクサビサポート取付部材３２の下面３２ｄに設けられている。また、クサビサポート４１はクサビ箱４のクサビ挿入用開口４ｃに挿通され、開放状態維持金具２２に向かって水平に延びている。また、クサビサポート４１は、先端側が二股に分かれて第１支持部４１ａと第２支持部４１ｂとになっている。従って、クサビサポート４１は、クサビ３１を支持するだけでなく、圧力開放弁１が作動（開放）したときにクサビ３１が水平方向に移動（詳細後述）するように案内するクサビガイド部材としての機能も有している。
【００５８】
また、クサビ箱４の側面には、クサビ箱の外からクサビ３１を覗くための覗き窓３６（図２）が設けられている。詳述すると、クサビ箱４の側面には覗き窓用の開口４ｅが形成されている。そして、透明な窓ガラス３６（ガラスに限らず、透明な材質のものであればよい）を、覗き窓用の開口４ｅのフランジ部４ｆと押え板３８とで挾持した状態でボルト３９とナット４０とで締結することにより、覗き窓３６が構成されている。
【００５９】
次に、図４〜図６に基づき、圧力開放弁１の作動（開放及び開放状態維持）について説明する。
【００６０】
圧力開放弁１が設置されている容器等の機器内の流体（気体又は液体）の圧力が何らかの要因により上昇し、配管１０及び弁箱２の流体入口２ａを介して弁体１２に作用する前記流体の圧力が設定圧力（吹き出し圧力）以上になると、弁体１２が前記流体の圧力により、弁体用ばね１５の弾性力（下方への押圧力）に抗して（弁体用ばね１５を縮めて）押し上げられるため、図４に示す矢印ａ１のように上方へ移動して開放する（弁座２ｅから離れる）。かくして圧力開放弁１は開放状態となる。その結果、前記流体が、図４に示す矢印ｃ１のように流体入口２ａから弁箱２内に流入した後、図４に示す矢印ｄ１のように流体出口２ｂから弁箱２外へと流出するため、前記機器内の流体の圧力が開放される。そして、この作動後の圧力開放弁１の開放状態は、次のようにして維持される。
【００６１】
前記流体の圧力によって弁体１２が上方へ移動すると、この弁体１２とともに弁棒１１も上方へ移動する。従って、これらの弁体１２及び弁棒１１とともにステップリング２１、ばね受け座１７、開放状態維持金具２２、開放状態維持金具ロックナット２３、揚弁金具２４及び揚弁金具ロックナット２５も上方へ移動する。
【００６２】
その結果、開放状態維持金具２２へのクサビ３１の当接が解除される。従って、クサビ３１は、クサビ用ばね３５に押圧されることにより、図４〜図６に示す矢印ｂ１のように開放状態維持金具２２の下側へと水平方向に移動し、クサビサポート４１とともに開放状態維持金具２２の下側から開放状態維持金具２２を支持する。具体的には、弁棒１１の左右両側において、クサビ３１の第１支持部３１ｃと第２支持部３１ｄとが、開放状態維持金具２２の下側へ移動して開放状態維持金具２２を支持する。なお、図４〜図６ではクサビ３１が、二股の底面３１ｅが弁棒１１に当接するまで水平移動した実施例を示しているが、クサビ３１により開放状態維持金具２２を支持すれば、圧力開放弁１の開放状態を維持することが可能なため、必ずしも底面１３ｅを弁棒１１に当接させる必要はない。
【００６３】
クサビ３１とクサビサポート４１によって開放状態維持金具２２を支持するため、弁体１２に作用する前記流体の圧力が低下した後も、弁体用ばね１５の弾性力（下方への押圧力）に抗して、開放状態維持金具２２が下方へ移動するのを防止することができ、これに伴って弁体１２、弁棒１１、ステップリング２１、ばね受け座１７、開放状態維持金具ロックナット２３、揚弁金具２４及び揚弁金具ロックナット２５の下方への移動も防止される。かくして、弁体１２が着座しないようにすることができ、圧力開放弁１の開放状態が維持される。
【００６４】
また、このときにクサビサポート４１は、クサビ３１を支持するだけでなく、クサビ用ばね３５に押圧されてクサビ３１が確実に水平移動するようにクサビ３１を案内する機能も果たす。
【００６５】
また、作業員が、直接目視で或いは監視カメラなどを用いて、圧力開放弁１の覗き窓３６からクサビ３１の作動状態を監視することにより、前記流体の圧力が設定圧力以上になって圧力開放弁１（弁体１２）が開放したこと、及び、圧力開放弁１（弁体１２）の開放状態がクサビ３１及びクサビサポート４１によって維持されていることを、圧力開放弁１の外部から確認する。
【００６６】
次に、図７〜図９に基づき、圧力開放弁１の復旧について説明する。
【００６７】
圧力開放弁１を復旧させる際には、まず、作業員の手動操作によって第２開放レバー２７を、図７に示す矢印ｅ１のように先端部２７ａの回動軸２９回りに上方へ回動させる。その結果、第２開放レバー２７の屈曲部２７ｂが第１開放レバー２６の基端部２６ｂを押し上げるため、第１開放レバー２６も図７に示す矢印ｆ１のように先端部２６ａの回動軸２８回りに上方へ回動する。このため、第１開放レバー２６によって揚弁金具２４が押し上げられ、且つ、この揚弁金具２４とともに弁体１２、弁棒１１、ステップリング２１、ばね受け座１７、開放状態維持金具２２、開放状態維持金具ロックナット２３及び揚弁金具ロックナット２５も押し上げられる。
【００６８】
従って、開放状態維持金具２２などを介してクサビ３１に作用していた弁体用ばね１５の弾性力（下方への押圧力）が、解除される。
【００６９】
このままの状態で、次に作業員はクサビ引き出し金具３３とクサビ引き出し用治具４２とを用いて、クサビ３１の引き出しを行う。クサビ引き出し用治具４２は、側面視（図７，図９）においてＬ字状に屈曲している。また、クサビ引き出し用治具４２は、基端側が１本である一方、先端側が二股に分かれて第１係合部４２ａと第２係合部４２ｂとになっている。
【００７０】
クサビ３１を引き出す際には、まず、図９に２点鎖線で示すようにクサビ引き出し用治具４２を配置することにより、クサビ引き出し金具３３の軸部３３ａの左右両側において、クサビ引き出し用治具４２の第１係合部４２ａと第２係合部４２ｂを、クサビ引き出し金具３３の頭部３３ｂに係合させる。この状態で、クサビサポート取付部材３２の側面３２ｂに当接している屈曲部４２ｃを支点にして、図７及び図９に示す矢印ｇ１のようにクサビ引き出し用治具４２を下方へ回動させる。
【００７１】
その結果、このクサビ引き出し用治具４２により、クサビ引き出し金具３３が開放状態維持金具２２と反対の方向へ引っ張られるため、図７〜図９に示す矢印ｈ１のようにクサビ３１が、開放状態維持金具２２の下側から引き出されて作動前の状態（待機状態）に復旧する。
【００７２】
このままの状態で、次に作業員は第２開放レバー２７を、図７に示す矢印ｉ１のように下方へ回動させる。その結果、第１開放レバー２６及び第２開放レバー２７による揚弁金具２４や開放状態維持金具２２などの押し上げが解除される。このため、弁体用ばね１５の弾性力（下方への押圧力）によって、図７に示す矢印ｊ１のように第１開放レバー２６は下方へ回動し、図７に示す矢印ｋ１のように揚弁金具ロックナット２５、揚弁金具２４、開放状態維持金具ロックナット２３、開放状態維持金具２２、ばね受け座１７、ステップリング２１、弁棒１１及び弁体１２は下方へ移動する。その結果、弁体１２は弁体用ばね１５により下方へ押圧されて弁座２ｅに当接（着座）した状態になり、ここでクサビ引き出し用治具４２をクサビ引き出し金具３３から取り外せば、クサビ３１はクサビ用ばね３５により水平に押圧されて開放状態維持金具２２に当接した状態になる。かくして、圧力開放弁１は作動前の待機状態（閉止状態）に復旧する。
【００７３】
以上のように、本実施の形態例１の圧力開放弁１によれば、弁棒１１と弁棒１１の下端に固定された弁体１２とを弁体用ばね１５によって下方へ押圧することにより、弁体１２が着座して閉止状態となる構成の圧力開放弁１において、弁棒１１に設けられた開放状態維持金具２２と、クサビ３１と、クサビ３１の下側からクサビ３１を支持するクサビサポート４１と、クサビ３１を開放状態維持金具２２に向かって水平方向に押圧するクサビ用ばね３５とを有しており、弁体１２が着座して閉止状態となっているときには、クサビ３１が開放状態維持金具２２の外周面２２ａに当接している一方、弁体１２及び弁棒１１が上方へ移動して開放状態となったときには、弁棒１１とともに開放状態維持金具２２が上方へ移動して開放状態維持金具２２へのクサビ３１の当接が解除されるため、クサビ３１が、クサビ用ばね３５に押圧されて開放状態維持金具２２の下側へと水平方向に移動してクサビサポート４１とともに開放状態維持金具２２の下側から開放状態維持金具２２を支持することにより、前記開放状態を維持する構成であることを特徴としているため、前記４つの要求を全て満足することができる。
【００７４】
即ち、圧力開放弁１は、電源や空気などの駆動源が無くとも、圧力開放弁１が設置された機器の内圧が設定圧力（吹き出し圧力）以上になると、自動的に作動して圧力を開放することができる。従って、圧力開放弁１は前記第１要求を満足する。
また、圧力開放弁１は、機器に設置する圧力開放弁１自身の作動試験を行うことができる。従って、圧力開放弁１は前記第２要求も満足する。
また、圧力開放弁１は、作動後に開放状態維持金具２２の下側からクサビ３１を引き出せば待機状態（閉止状態）に復旧するため、再使用が可能である。従って、圧力開放弁１は前記第３要求も満足する。
また、圧力開放弁１は、作動（開放）後にクサビ３１及びクサビサポート４１によって開放状態維持金具２２を支持するため、作動（開放）後に機器内の圧力が低下しても開放状態を維持し、雰囲気圧力まで低下させることができる。従って、圧力開放弁１は前記第４要求も満足する。
【００７５】
また、本実施の形態例１の圧力開放弁１によれば、クサビ支持部材として用いたクサビサポート４１は水平に延びており、クサビ３１を支持するとともにクサビ３１の水平移動を案内することを特徴としているため、クサビサポート４１によって、クサビ３１を支持するだけなく、より確実にクサビ３１を開放状態維持金具２２の下側へ水平方向に移動させることができる。
【００７６】
また、本実施の形態例１の圧力開放弁１によれば、クサビ３１は、クサビ３１の基端部３１ｂに水平に突設された軸部３３ａと、軸部３３ａの先端に設けられてクサビ引き出し用治具４２と係合する頭部３３ｂとを有して成るクサビ引き出し金具３３を有していることを特徴としているため、クサビ引き出し金具３３とクサビ引き出し用治具４２とを用いて、クサビ３１を開放状態維持金具２２の下側から容易に引き出すことができる。
【００７７】
また、本実施の形態例１の圧力開放弁１によれば、クサビ３１はクサビ箱４内に設けられており、クサビ箱４には、クサビ箱４の外からクサビ３１を覗くための覗き窓３６が設けられていることを特徴としているため、覗き窓３６からクサビ３１の状態を観察することにより、圧力開放弁１が作動（開放）したこと及び圧力開放弁１の開放状態が維持されていることを外部から容易に確認することができる。
【００７８】
また、本実施の形態例１の圧力開放弁１によれば、クサビ３１は、先端側が二股に分かれて第１支持部３１ｃと第２支持部３１ｄとになっており、クサビ３１がクサビ用ばね３５に押圧されて水平方向に移動したとき、弁棒１１の左右両側において第１支持部３１ｃと第２支持部３１ｄとが開放状態維持金具２２を支持する構成であることを特徴としているため、クサビ３１の第１支持部３１ｃと第２支持部３１ｄとによって、より確実に開放状態維持金具２２を支持することができる。
【００７９】
また、本実施の形態例１の圧力開放弁１によれば、開放状態維持部材として用いた開放状態維持金具２２は、弁棒１１のネジ部１１ａに螺合されて弁棒１１に取り付けられることを特徴としているため、弁棒１１のネジ部１１ａに対する開放状態維持金具２２の螺合位置を調整することにより、開放状態維持金具２２とクサビ３１との位置関係を容易に調整することができる。
【００８０】
また、本実施の形態例１の圧力開放弁１によれば、弁棒１１に設けられた揚弁金具２４と、水平に延びており、先端部２６ａの回動軸２８回りに上方へ回動して揚弁金具２４を押し上げる構成の第１開放レバー２６と、Ｌ字状に屈曲しており、先端部２７ａの回動軸２９回りに上方へ回動して屈曲部２７ｂが第１開放レバー２６の基端部２６ｂを押し上げる構成の第２開放レバー２７とを有することを特徴としているため、第１開放レバー２６と第２開放レバー２７によって揚弁金具２４を押し上げると、開放状態維持金具２２も上がるため、弁体用ばね１５の弾性力が非常に強くても、クサビ３１を開放状態維持金具２２の下側から容易に引き出すことができる。
【００８１】
＜実施の形態例２＞
本実施の形態例２における上記実施の形態例１との主な相違点は、クサビの形状が異なることと、覗き窓に代えてクサビ確認用の開口を設けていることである。
【００８２】
図１０〜図１８に基づき、本発明の実施の形態例２に係る圧力開放弁１０１について詳細に説明する。図１０〜図１２には圧力開放弁１０１の待機（閉止）時の状態を示し、図１３〜図１５には圧力開放弁１０１の作動（開放及び開放状態維持）時の状態を示し、図１６〜図１８には圧力開放弁１０１の復旧時の状態を示している。
【００８３】
まず、図１０〜図１２に基づき、本実施の形態例２の圧力開放弁１０１の構成について説明する。
【００８４】
圧力開放弁１０１は、弁箱１０２と、弁箱１０２の上に設置されたばね箱１０３と、ばね箱１０３の上に設置されたクサビ箱１０４（一般に帽子とも称される）とを有し、これらによって弁全体を覆う構成となっている。弁箱１０２とばね箱１０３はボルト１０５及びナット１０６によって結合され、ばね箱１０３とクサビ箱１０４はボルト１０７及びナット１０８によって結合されている。
【００８５】
弁棒１１１は、弁箱１０２内、ばね箱１０３内及びクサビ箱１０４内において中央部に位置し、これらの弁箱１０２からクサビ箱１０４に亘って上下方向（即ち鉛直方向）に延びている。弁箱１０２内に設けられた弁体１１２は、弁棒１１１の下端に固定されており、弁棒１１１とともに上下方向に移動することができる。
【００８６】
弁箱１０２の下面１０２ｃには流体入口１０２ａが形成され、弁箱１０２の側面１０２ｄには流体出口１０２ｂが形成されている。弁箱１０２の流体入口１０２ａは、内部に気体（例えば不活性ガス）を有する容器などの機器（図示せず）に接続された配管１１０に接続されている。なお、本発明の圧力開放弁１０１は、不活性ガスなどの気体の圧力を開放する場合に限定するものではなく、水などの液体の圧力を開放する場合にも適用することができ、且つ配管１１０を介さず、溶接又はフランジにより直接容器などの機器に接続することも可能である。
【００８７】
弁箱１０２内には、流体入口１０２ａの周囲を囲むようにして弁座１０２ｅが形成されている。この弁座１０２ｅに弁体１１２の下面１１２ａが当接（着座）すると、圧力開放弁１０１は閉止状態となる一方、弁体１１２の下面１１２ａが弁座１０２ｅから離れると、圧力開放弁１０１は開放状態となる。
【００８８】
弁箱１０２の上面１０２ｆに形成された貫通穴１０２ｇには、円筒状の弁棒ガイド１１３が嵌挿されている。弁棒１１１は、この弁棒ガイド１１３に軸方向（即ち鉛直方向）へ移動可能に挿通されている。また、弁箱１０２内に設けられたベローズ１１４は、弁棒ガイド１１３及び弁棒１１１の周囲を囲み、上端が弁箱１０２の上面１０２ｆに接続され、下端が弁体１１２の上面１１２ｂに接続されている。このため、弁箱１０２内を流れる流体が弁棒ガイド１１３内を通ってばね箱１０３へ流出するのを、ベローズ１１４によって防ぐことができる。なお、本実施の形態例２は、このベローズ１１４の設置有無によらない。
【００８９】
ばね箱１０３内に設けられた弁体用ばね１１５は、コイル状のものである。ばね箱１０３内において、弁体用ばね１１５の上端には円環状のばね押え座１１６が設けられ、弁体用ばね１１５の下端には円環状のばね受け座１１７が設けられている。
【００９０】
また、ばね箱１０３内において、弁棒１１１の外周面には円板状のステップリング１２１が突設されている（弁棒１１１と一体に形成されている）。ステップリング１２１は、ばね受け座１１７の下側からばね受け座１１７を支持している。
【００９１】
一方、ばね箱１０３の上面１０３ａには、調整ネジ１１８のためのネジ穴１０３ｂが形成されている。調整ネジ１１８は円筒状のものであり、外周面にネジ部１１８ａが形成されている。調整ネジ１１８は、そのネジ部１１８ａがネジ穴１０３ｂに螺合されてネジ穴１０３ｂに挿通されている。また、クサビ箱１０４内において、調整ネジ１１８の外周面（ネジ部）１１８ａには調整ネジロックナット１１９が螺合されている。従って、調整ネジ１１８の位置は、調整ネジロックナット１１９によって固定される。また、ばね箱１０３内において、調整ネジ１１８はばね押え座１１６に回転可能に連結されている。
【００９２】
調整ネジ１１８は、弁体用ばね１１５の弾性力（ばね力）を調整することによって圧力開放弁１０１の設定圧力（吹き出し圧力）を調節するためのものである。調整ネジ１１８を一方向へ回転させると、調整ネジ１１８が下方へ移動してばね押え座１１６が押し下げられることにより、弁体用ばね１１５が縮んで弁体用ばね１１５の弾性力が大きくなるため、前記設定圧力が高くなる。調整ネジ１１８を他方向へ回転させると、調整ネジ１１８が上方へ移動してばね押え座１１６が上方へ移動することにより、弁体用ばね１１５が伸びて弁体用ばね１１５の弾性力が小さくなるため、前記設定圧力が低くなる。
【００９３】
ばね押え座１１６には回り止めピン１２０が突設されている。回り止めピン１２０は、ばね箱１０３に形成されたピン穴１０３ｃに挿通され、ばね箱１０３に係止される。このため、調整ネジ１１８を回転させたとき、ばね押え座１１６が調整ネジ１１８とともに回転するのを、回り止めピン１２０によって防止する機能を有している。
【００９４】
弁棒１１１は、調整ネジ１１８、ばね押え座１１６、弁体用ばね１１５及びばね受け座１１７に軸方向（即ち鉛直方向）へ移動可能に挿通されている。
【００９５】
弁棒１１１の外周面の上部には、ネジ部１１１ａが形成されている。この弁棒１１１のネジ部１１１ａには、下から上へ順に開放状態維持金具１２２（開放状態維持部材）と、開放状態維持金具ロックナット１２３と、揚弁金具１２４（揚弁部材）と、揚弁金具ロックナット１２５とが螺合されている。開放状態維持金具１２２の位置は開放状態維持金具ロックナット１２３によって固定され、揚弁金具１２４の位置は揚弁金具ロックナット１２５によって固定される。
【００９６】
また、クサビ箱１０４には、第１開放レバー１２６と、第２開放レバー１２７とが設けられている。
【００９７】
第１開放レバー１２６は水平に延びており、揚弁金具１２４の下側に配設されている。第１開放レバー１２６の先端部１２６ａと、クサビ箱１０４の側面の一方側に形成された回動軸支持部１０４ａには回動軸１２８が挿通されている。従って、第１開放レバー１２６は、回動軸１２８回りに上下に回動することができる。また、第１開放レバー１２６は、基端側が１本の棒状である一方、先端側が二股に分かれて第１レバー部１２６ｃと第２レバー部１２６ｄとになっており、こられの第１レバー部１２６ｃと第２レバー部１２６ｄがそれぞれ弁棒１１１の左右両側において揚弁金具１２４の下側に位置している。
【００９８】
第２開放レバー１２７はＬ字状に屈曲されており、第１開放レバー１２６の下側に配設されている。第２開放レバー１２７の先端部２７ａと、クサビ箱１０４の側面の他方側に形成された回動軸支持部１０４ｂには、回動軸１２９が挿通されている。従って、第２開放レバー１２６は、回動軸１２９回りに上下に回動することができる。また、第２開放レバー１２７の屈曲部１２７ｂは、第１開放レバー１２６の基端部１２６ｂの下側から当該基端部１２６ｂに当接している。
【００９９】
また、クサビ箱１０４の側面には、クサビ確認用の開口１０４ｅが形成されている。
【０１００】
そして、本実施の形態例２の圧力開放弁１０１では、作動（開放）後の圧力開放弁１０１の開放状態を維持するためのクサビ１３１が、開放状態維持金具２２の側方に配設されている。クサビ確認用の開口１０４ｅは、クサビ１３１の先端側であって、クサビ１３１に対応した位置に設けられている。
【０１０１】
クサビ１３１は、先端部１３１ａと、基端部１３１ｂとを有し、水平に配設されている。また、クサビ１３１は、平面視（図１１）がコ字状になっている。即ち、クサビ１３１は、先端側が二股に分かれて第１支持部１３１ｃと第２支持部１３１ｄとになっている。クサビ１３１の基端部１３１ｂは、側面視（図１０，図１２）における上下方向の厚さが一定になっている。一方、クサビ１３１の先端部１３１ａは、傾斜面１３１ｅ，１３１ｆを有する部分と、これらの傾斜面１３１ｅ，１３１ｆの先から水平に延びた延長部１３１ｇ，１３１ｈとを有している。傾斜面１３１ｅ及び延長部１３１ｇは第１支持部１３１ｃ側に設けられ、傾斜面１３１ｆ及び延長部１３１ｈは第２支持部１３１ｄ側に設けられている。
【０１０２】
傾斜面１３１ｅ，１３１ｆは、開放状態維持金具１２２へ向かうにしたがって下方へ傾斜している。延長部１３１ｇ，１３１ｈは、側面視（図１０，図１２）における上下方向の厚さが一定になっている。
【０１０３】
クサビ箱１０４の側面には、クサビ挿入用の開口１０４ｃが形成されている。クサビ挿入用の開口１０４ｃは、クサビサポート取付部材１３２によって塞がれている。クサビサポート取付部材１３２は断面がコ字状の部材であり、その開口側にフランジ部１３２ａが形成されている。クサビサポート取付部材１３２のフランジ部１３２ａと、クサビ挿入用開口１０４ｃのフランジ部１０４ｄは、ボルト１４３とナット１３４によって結合されている。
【０１０４】
クサビ用ばね１３５はコイル状のものであり、クサビサポート取付部材１３２内においてクサビ１３１の基端部１３１ｂと、クサビサポート取付部材１３２の側面１３２ｂとの間に介設され、クサビ１３１を開放状態維持金具１２２に向かって水平方向に押圧している。
【０１０５】
圧力開放弁１０１が閉止状態（待機状態）のとき、即ち弁体１１２が弁体用ばね１１５に押圧されて着座（弁座１０２ｅに当接）しているとき、クサビ１３１は、クサビ用ばね１３５に押圧されて、傾斜面１３１ｅ，１３１ｆが開放状態維持金具１２２の外周面１２２ａに当接する。換言すると、弁棒１１１（ネジ部１１１ａ）に対する開放状態維持金具１２２の取り付け位置（螺合位置）を調節することによって、圧力開放弁１０１が閉止状態のときに開放状態維持金具１２２とクサビ１３１の傾斜面１３１ｅ，１３１ｆとが互いに当接するようにしている。
【０１０６】
また、クサビ１３１は、二股の底面（第１支持部１３１ｃと第２支持部１３１ｄの間の面）１３１ｉが、弁棒１１１と対向している。
【０１０７】
クサビ１３１の基端部１３１ｂには、クサビ引き出し金具１３３（クサビ引き出し部材）が設けられている。クサビ引き出し金具１３３は、クサビ１３１の基端部１３１ｂに水平に突設された軸部１３３ａと、この軸部１３３ａの先端に設けられた頭部１３３ｂとを有して成るものである。軸部１３３ａはクサビサポート取付部材１３２の側面１３２ｂに形成された貫通穴１３２ｃに挿通されてクサビサポート取付部材１３２の外側へと延びており、頭部１３３ｂはクサビサポート取付部材１３２の外側に位置している。頭部１３３ｂはクサビ引き出し用治具１４２（図１６〜図１８を参照：詳細後述）に係合させるための部分である。
【０１０８】
また、クサビ１３１の下側にはクサビサポート１４１（クサビ支持部材）が設けられている。クサビ１３１は、クサビサポート１４１の上に設置され、クサビ箱１０４のクサビ挿入用開口１０４ｃを通ってクサビ箱１０４内にまで水平に延びている。クサビサポート１４１はクサビ１３１の下側からクサビ１３１を支持するためのものであり、クサビサポート取付部材１３２内においてクサビサポート取付部材１３２の下面１３２ｄに設けられている。また、クサビサポート１４１はクサビ箱１０４のクサビ挿入用開口４ｃに挿通され、開放状態維持金具１２２に向かって水平に延びている。また、クサビサポート１４１は、先端側が二股に分かれて第１支持部１４１ａと第２支持部１４１ｂとになっている。従って、クサビサポート１４１は、クサビ１３１を支持するだけでなく、圧力開放弁１０１が作動（開放）したときにクサビ１３１が水平方向に移動（詳細後述）するように案内するクサビガイド部材としての機能も有している。
【０１０９】
クサビ１３１の延長部１３１ｇ，１３１ｈは、上側の開放状態維持金具１２２と下側のクサビサポート１４１との間に位置している。換言すると、弁棒１１１（ネジ部１１１ａ）に対する開放状態維持金具１２２の取り付け位置（螺合位置）を調節することによって、圧力開放弁１０１が閉止状態のときにクサビ１３１の延長部１３１ｇ，１３１ｈを、開放状態維持金具１２２とクサビサポート１４１の間に配置することができるようにしている。
【０１１０】
次に、図１３〜図１５に基づき、圧力開放弁１０１の作動（開放及び開放状態維持）について説明する。
【０１１１】
圧力開放弁１０１が設置されている容器等の機器内の流体（気体又は液体）の圧力が何らかの要因により上昇し、配管１１０及び弁箱１０２の流体入口１０２ａを介して弁体１１２に作用する前記流体の圧力が設定圧力（吹き出し圧力）以上になると、弁体１１２が前記流体の圧力により、弁体用ばね１１５の弾性力（下方への押圧力）に抗して（弁体用ばね１１５を縮めて）押し上げられるため、図１３に示す矢印ａ２のように上方へ移動して開放する（弁座１０２ｅから離れる）。かくして圧力開放弁１０１は開放状態となる。その結果、前記流体が、図１３に示す矢印ｃ２のように流体入口１０２ａから弁箱１０２内に流入した後、図１３に示す矢印ｄ２のように流体出口１０２ｂから弁箱１０２外へと流出するため、前記機器内の流体の圧力が開放される。そして、この作動後の圧力開放弁１０１の開放状態は、次のようにして維持される。
【０１１２】
前記流体の圧力によって弁体１１２が上方へ移動すると、この弁体１１２とともに弁棒１１１も上方へ移動する。従って、これらの弁体１１２及び弁棒１１１とともにステップリング１２１、ばね受け座１１７、開放状態維持金具１２２、開放状態維持金具ロックナット１２３、揚弁金具１２４及び揚弁金具ロックナット１２５も上方へ移動する。
【０１１３】
その結果、開放状態維持金具１２２へのクサビ１３１（傾斜面１３１ｅ，１３１ｆ）の当接が解除される。従って、クサビ１３１は、クサビ用ばね１３５に押圧されることにより、図１３〜図１５に示す矢印ｂ２のように開放状態維持金具１２２の下側へと水平方向に移動する。しかも、クサビ１３１は傾斜面１３１ｅ，１３１ｆを有しており、この傾斜面１３１ｅ，１３１ｆが開放状態維持部材１２２に当接しているため、弁体１１２及び弁棒１１１とともに開放状態維持金具１２２が上昇し始めると直ぐにクサビ１３１も、クサビ用ばね１３５に押圧されて水平方向に移動し始め、且つ、開放状態維持金具１２２の上昇量（リフト量）が増加するのに応じてクサビ１３１の水平方向への移動量も増加する。また、このときクサビ１３１の延長部１３１ｇ，１３１ｈの先端部分が、クサビ箱１０４のクサビ確認用開口１０４ｅからクサビ箱１０４の外へ出る。
【０１１４】
水平方向に移動したクサビ１３１は、クサビサポート１４１とともに開放状態維持金具１２２の下側から開放状態維持金具１２２を支持する。具体的には、弁棒１１１の左右両側において、クサビ１３１の第１支持部１３１ｃの基端部１３１ｂと第２支持部１３１ｄの基端部１３１ｂとが、開放状態維持金具１２２の下側へ移動して開放状態維持金具１２２を支持する。なお、図１３〜図１５ではクサビ１３１が、二股の底面１３１ｉが弁棒１１１に当接するまで水平移動した実施例を示しているが、クサビ１３１により開放状態維持金具１２２を支持すれば、圧力開放弁１０１の開放状態を維持することが可能なため、必ずしも底面１３１ｉを弁棒１１１に当接させる必要はない。
【０１１５】
クサビ１３１とクサビサポート１４１によって開放状態維持金具１２２を支持するため、弁体１１２に作用する前記流体の圧力が低下した後も、弁体用ばね１１５の弾性力（下方への押圧力）に抗して、開放状態維持金具１２２が下方へ移動するのを防止することができ、これに伴って弁体１１２、弁棒１１１、ステップリング１２１、ばね受け座１１７、開放状態維持金具ロックナット１２３、揚弁金具１２４及び揚弁金具ロックナット１２５の下方への移動も防止される。かくして、弁体１１２が着座しないようにすることができ、圧力開放弁１０１の開放状態が維持される。
【０１１６】
また、このときにクサビサポート１４１は、クサビ１３１を支持するだけでなく、クサビ用ばね１３５に押圧されてクサビ１３１が確実に水平移動するようにクサビ１３１を案内する機能も果たす。
【０１１７】
また、作業員が、直接目視で或いは監視カメラなどを用いて、クサビ箱１０４のクサビ確認用開口１０４ｅからクサビ１３１の延長部１３１ｇ，１３１ｈの先端部分がクサビ箱１０４の外へ出ていること監視することにより、前記流体の圧力が設定圧力以上になって圧力開放弁１０１（弁体１１２）が開放したこと、及び、圧力開放弁１０１（弁体１１２）の開放状態がクサビ１３１及びクサビサポート１４１によって維持されていることを、圧力開放弁１０１の外部から確認する。
【０１１８】
次に、図１６〜図１８に基づき、圧力開放弁１０１の復旧について説明する。
【０１１９】
圧力開放弁１０１を復旧させる際には、まず、作業員の手動操作によって第２開放レバー１２７を、図１６に示す矢印ｅ２のように先端部１２７ａの回動軸１２９回りに上方へ回動させる。その結果、第２開放レバー１２７の屈曲部１２７ｂが第１開放レバー１２６の基端部１２６ｂを押し上げるため、第１開放レバー１２６も図１６に示す矢印ｆ２のように先端部１２６ａの回動軸１２８回りに上方へ回動する。このため、第１開放レバー１２６によって揚弁金具１２４が押し上げられ、且つ、この揚弁金具１２４とともに弁体１１２、弁棒１１１、ステップリング１２１、ばね受け座１１７、開放状態維持金具１２２、開放状態維持金具ロックナット１２３及び揚弁金具ロックナット１２５も押し上げられる。
【０１２０】
従って、開放状態維持金具１２２などを介してクサビ１３１に作用する弁体用ばね１１５の弾性力（下方への押圧力）が、解除される。
【０１２１】
このままの状態で、次に作業員はクサビ引き出し金具１３３とクサビ引き出し用治具１４２とを用いて、クサビ１３１の引き出しを行う。クサビ引き出し用治具１４２は、側面視（図１６，図１８）においてＬ字状に屈曲している。また、クサビ引き出し用治具１４２は、基端側が１本である一方、先端側が二股に分かれて第１係合部１４２ａと第２係合部１４２ｂとになっている。
【０１２２】
クサビ３１を引き出すには、まず、図１８に２点鎖線で示すようにクサビ引き出し用治具１４２を配置することにより、クサビ引き出し金具１３３の軸部１３３ａの左右両側において、クサビ引き出し用治具１４２の第１係合部１４２ａと第２係合部１４２ｂを、クサビ引き出し金具１３３の頭部１３３ｂに係合させる。この状態で、クサビサポート取付部材１３２の側面１３２ｂに当接している屈曲部１４２ｃを支点にして、図１６及び図１８に示す矢印ｇ２のようにクサビ引き出し用治具１４２を下方へ回動させる。
【０１２３】
その結果、このクサビ引き出し用治具１４２により、クサビ引き出し金具１３３が開放状態維持金具１２２と反対の方向へ引っ張られるため、図１６〜図１８に示す矢印ｈ２のようにクサビ１３１が、開放状態維持金具１２２の下側から引き出されて作動前の状態（待機状態）に復旧する。
【０１２４】
このままの状態で、次に作業員は第２開放レバー１２７を、図１６に示す矢印ｉ２のように下方へ回動させる。その結果、第１開放レバー１２６及び第２開放レバー１２７による揚弁金具１２４や開放状態維持金具１２２などの押し上げが解除される。このため、弁体用ばね１１５の弾性力（下方への押圧力）によって、図１６に示す矢印ｊ２のように第１開放レバー１２６は下方へ回動し、図１６に示す矢印ｋ２のように揚弁金具ロックナット１２５、揚弁金具１２４、開放状態維持金具ロックナット１２３、開放状態維持金具１２２、ばね受け座１１７、ステップリング１２１、弁棒１１１及び弁体１１２は下方へ移動する。その結果、弁体１１２は弁体用ばね１１５により下方へ押圧されて弁座１０２ｅに当接（着座）した状態になり、ここでクサビ引き出し用治具１４２をクサビ引き出し金具１３３から取り外せば、クサビ１３１（傾斜面１３１ｅ，１３１ｆ）はクサビ用ばね１３５により水平に押圧されて開放状態維持金具１２２に当接した状態になる。かくして、圧力開放弁１０１は作動前の待機状態（閉止状態）に復旧する。
【０１２５】
以上のように、本実施の形態例２の圧力開放弁１０１によれば、弁棒１１１と弁棒１１１の下端に固定された弁体１１２とを弁体用ばね１３５によって下方へ押圧することにより、弁体１１２が着座して閉止状態となる構成の圧力開放弁１０１において、弁棒１１１に設けられた開放状態維持金具１２２と、クサビ１３１と、クサビ１３１の下側からクサビを支持するクサビサポート１４１と、クサビ１３１を開放状態維持金具１２２に向かって水平方向に押圧するクサビ用ばね１３５とを有しており、弁体１１２が着座して閉止状態となっているときには、クサビ１３１が開放状態維持金具１２２の外周面１２２ａに当接している一方、弁体１１２及び弁棒１１１が上方へ移動して開放状態となったときには、弁棒１１１とともに開放状態維持金具１２２が上方へ移動して開放状態維持金具１２２へのクサビ１３１の当接が解除されるため、クサビ１３１が、クサビ用ばね１３５に押圧されて開放状態維持金具１２２の下側へと水平方向に移動してクサビサポート１４１とともに開放状態維持金具１２２の下側から開放状態維持金具１２２を支持することにより、前記開放状態を維持する構成であることを特徴としているため、前記４つの要求を全て満足することができる。
【０１２６】
即ち、圧力開放弁１０１は、電源や空気などの駆動源が無くとも、圧力開放弁１０１が設置された機器の内圧が設定圧力（吹き出し圧力）以上になると、自動的に作動して圧力を開放することができる。従って、圧力開放弁１０１は前記第１要求を満足する。
また、圧力開放弁１０１は、機器に設置する圧力開放弁１０１自身の作動試験を行うことができる。従って、圧力開放弁１０１は前記第２要求も満足する。
また、圧力開放弁１０１は、作動後に開放状態維持金具１２２の下側からクサビ１３１を引き出せば待機状態（閉止状態）に復旧するため、再使用が可能である。従って、圧力開放弁１０１は前記第３要求も満足する。
また、圧力開放弁１０１は、作動（開放）後にクサビ１３１及びクサビサポート１４１によって開放状態維持金具１２２を支持するため、作動（開放）後に機器内の圧力が低下しても開放状態を維持し、雰囲気圧力まで低下させることができる。従って、圧力開放弁１０１は前記第４要求も満足する。
【０１２７】
また、本実施の形態例２の圧力開放弁１０１によれば、開放状態維持金具１２２の外周面１２２ａに当接するクサビ１３１の当接面が、開放状態維持金具１２２へ向かうにしたがって下方へ傾斜している傾斜面１３１ｅ，１３１ｆであることを特徴としており、クサビの形状を変更しても圧力開放弁１０１の開放状態を維持することができる。
【０１２８】
また、本実施の形態例２の圧力開放弁１０１によれば、クサビ支持部材として用いたクサビサポート１４１は水平に延びており、クサビ１３１を支持するとともにクサビ１３１の水平移動を案内することを特徴としているため、クサビサポート１４１によって、クサビ１３１を支持するだけなく、より確実にクサビ１３１を開放状態維持金具１２２の下側へ水平方向に移動させることができる。
【０１２９】
また、本実施の形態例２の圧力開放弁１０１によれば、クサビ１３１は、クサビ１３１の基端部１３１ｂに水平に突設された軸部１３３ａと、軸部１３３ａの先端に設けられてクサビ引き出し用治具１４２と係合する頭部１３３ｂとを有して成るクサビ引き出し金具１３３を有していることを特徴としているため、クサビ引き出し金具１３３とクサビ引き出し用治具１４２とを用いて、クサビ１３１を開放状態維持金具１２２の下側から容易に引き出すことができる。
【０１３０】
また、本実施の形態例２の圧力開放弁１０１によれば、クサビ１３１はクサビ箱１０４内に設けられており、クサビ１３１の先端側には延長部１３１ｇ，１３１ｈが設けられ、クサビ１３１がクサビ用ばねに押圧１３５されて水平方向に移動したとき、延長部１３１ｇの先端部分が、クサビ１０４に形成されたクサビ確認用の開口１０４ｅからクサビ箱１０１の外へ出る構成であることを特徴としているため、クサビ延長部１３１ｇ，１３１ｈの先端部分がクサビ確認用の開口１０４ｅから外へ出ている状態を観察することにより、圧力開放弁１０１が作動（開放）したこと及び圧力開放弁１０１の開放状態が維持されていることを外部から容易に確認することができる。
【０１３１】
また、本実施の形態例２の圧力開放弁１０１によれば、クサビ１３１は、先端側が二股に分かれて第１支持部１３１ｃと第２支持部１３１ｄとになっており、クサビ１３１がクサビ用ばね１３５に押圧されて水平方向に移動したとき、弁棒１１１の左右両側において第１支持部１３１ｃと第２支持部１３１ｄとが開放状態維持金具１２２を支持する構成であることを特徴としているため、クサビ１３１の第１支持部１３１ｃと第２支持部１３１ｄとによって、より確実に開放状態維持金具１２２を支持することができる。
【０１３２】
また、本実施の形態例２の圧力開放弁１０１によれば、開放状態維持部材として用いた開放状態維持金具１２２は、弁棒１１１のネジ部１１１ａに螺合されて弁棒１１１に取り付けられることを特徴としているため、弁棒１１１のネジ部１１１ａに対する開放状態維持金具１２２の螺合位置を調整することにより、開放状態維持金具１２２とクサビ１３１との位置関係を容易に調整することができる。
【０１３３】
また、本実施の形態例２の圧力開放弁１０１によれば、弁棒１１１に設けられた揚弁金具１２４と、水平に延びており、先端部１２６ａの回動軸１２８回りに上方へ回動して揚弁金具１２４を押し上げる構成の第１開放レバー１２６と、Ｌ字状に屈曲しており、先端部１２７ａの回動軸１２９回りに上方へ回動して屈曲部１２７ｂが第１開放レバー１２６の基端部１２６ｂを押し上げる構成の第２開放レバー１２７とを有することを特徴としているため、第１開放レバー１２６と第２開放レバー１２７によって揚弁金具１２４を押し上げると、開放状態維持金具１２２も上がるため、弁体用ばね１１５の弾性力が非常に強くても、クサビ１３１を開放状態維持金具１２２の下側から容易に引き出すことができる。
【０１３４】
＜実施の形態例３＞
本実施の形態例３における上記実施の形態例１との主な相違点は、クサビの取り付け位置が異なることと、ステップリングを開放状態維持部材として利用していることと、クサビが露出しているために覗き窓などが不要であることである。
【０１３５】
図１９〜図２７に基づき、本発明の実施の形態例３に係る圧力開放弁２０１について詳細に説明する。図１９〜図２１には圧力開放弁２０１の待機（閉止）時の状態を示し、図２２〜図２４には圧力開放弁２０１の作動（開放及び開放状態維持）時の状態を示し、図２５〜図２７には圧力開放弁２０１の復旧時の状態を示している。
【０１３６】
まず、図１９〜図２１に基づき、本実施の形態例３の圧力開放弁２０１の構成について説明する。
【０１３７】
圧力開放弁２０１は、弁箱２０２と、弁箱２０２の上に設置されたヨーク２０３と、ヨーク２０３の上に設置された帽子２０４とを有している。弁箱２０２とヨーク２０３はボルト及びナット（図示省略）によって結合され、ヨーク２０３と帽子２０４はボルト２０７及びナット２０８によって結合されている。ヨーク２０３は、左右に２本設けられて上下方向に延びた脚部２０３ａ，２０３ｂを有している。従って、これら２本のヨーク脚部２０３ａ，２０３ｂの間に設けられている弁体用ばね２１５やステップリング２２１などは、露出している。
【０１３８】
弁棒２１１は、弁箱２０２内、ヨーク２０３内（脚部２０３ａ，２０３ｂの間）及び帽子２０４内において中央部に位置し、これらの弁箱２０２から帽子２０４に亘って上下方向（即ち鉛直方向）に延びている。弁箱２０２内に設けられた弁体２１２は、弁棒２１１の下端に固定されており、弁棒２１１とともに上下方向に移動することができる。
【０１３９】
弁箱２０２の下面２０２ｃには流体入口２０２ａが形成され、弁箱２０２の側面２０２ｄには流体出口２０２ｂが形成されている。弁箱２０２の流体入口２０２ａは、内部に気体（例えば不活性ガス）を有する容器などの機器（図示せず）に接続された配管２１０に接続されている。なお、本発明の圧力開放弁２０１は、不活性ガスなどの気体の圧力を開放する場合に限定するものではなく、水などの液体の圧力を開放する場合にも適用することができ、且つ配管２１０を介さず、溶接又はフランジにより直接容器などの機器に接続することも可能である。
【０１４０】
弁箱２０２内には、流体入口２０２ａの周囲を囲むようにして弁座２０２ｅが形成されている。この弁座２０２ｅに弁体２１２の下面２１２ａが当接（着座）すると、圧力開放弁２０１は閉止状態となる一方、弁体２１２の下面２１２ａが弁座２０２ｅから離れると、圧力開放弁２０１は開放状態となる。
【０１４１】
弁箱２０２の上面２０２ｆに形成された貫通穴２０２ｇには、円筒状の弁棒ガイド２１３が嵌挿されている。弁棒２１１は、この弁棒ガイド２１３に軸方向（即ち鉛直方向）へ移動可能に挿通されている。また、弁箱２０２内に設けられたベローズ２１４は、弁棒ガイド２１３及び弁棒２１１の周囲を囲み、上端が弁箱２０２の上面２０２ｆに接続され、下端が弁体２１２の上面２１２ｂに接続されている。このため、弁箱２０２内を流れる流体が弁棒ガイド２１３内を通ってヨーク２０３へ流出するのを、ベローズ２１４によって防ぐことができる。なお、本実施の形態例３は、このベローズ２１４の設置有無によらない。
【０１４２】
ヨーク脚部２０３ａ，２０３ｂの間に設けられた弁体用ばね２１５は、コイル状のものである。ヨーク脚部２０３ａ，２０３ｂの間において、弁体用ばね２１５の上端には円環状のばね押え座２１６が設けられ、弁体用ばね２１５の下端には円環状のばね受け座２１７が設けられている。
【０１４３】
ヨーク脚部２０３ａ，２０３ｂの間において、弁棒２１１の外周面には円板状のステップリング２２１が突設されている（弁棒２１１と一体に形成されている）。ステップリング２２１は、ばね受け座２１７の下側からばね受け座２１７を支持している。
【０１４４】
一方、ヨーク２０３の上面２０３ｄには、調整ネジ２１８のためのネジ穴２０３ｃが形成されている。調整ネジ２１８は円筒状のものであり、外周面にネジ部２１８ａが形成されている。調整ネジ２１８は、そのネジ部２１８ａがネジ穴２０３ｃに螺合されてネジ穴２０３ｃに挿通されている。また、帽子２０４内において、調整ネジ２１８の外周面（ネジ部）２１８ａには調整ネジロックナット２１９が螺合されている。従って、調整ネジ２１８の位置は、調整ネジロックナット２１９によって固定される。また、ヨーク脚部２０３ａ，２０３ｂの間において、調整ネジ２１８はばね押え座２１６に回転可能に連結されている。
【０１４５】
調整ネジ２１８は、弁体用ばね２１５の弾性力（ばね力）を調整することによって圧力開放弁２０１の設定圧力（吹き出し圧力）を調節するためのものである。調整ネジ２１８を一方向へ回転させると、調整ネジ２１８が下方へ移動してばね押え座２１６が押し下げられることにより、弁体用ばね２１５が縮んで弁体用ばね２１５の弾性力が大きくなるため、前記設定圧力が高くなる。調整ネジ２１８を他方向へ回転させると、調整ネジ２１８が上方へ移動してばね押え座２１６が上方へ移動することにより、弁体用ばね２１５が伸びて弁体用ばね２１５の弾性力が小さくなるため、前記設定圧力が低くなる。
【０１４６】
ばね押え座２１６には回り止めピン２２０が突設されている。回り止めピン２２０は、ヨーク脚部２０３ａ，２０３ｂに係止される。このため、調整ネジ２１８を回転させたとき、ばね押え座２１６が調整ネジ２１８とともに回転するのを、回り止めピン２２０によって防止する機能を有している。
【０１４７】
弁棒２１１は、調整ネジ２１８、ばね押え座２１６、弁体用ばね２１５及びばね受け座２１７に軸方向（即ち鉛直方向）へ移動可能に挿通されている。
【０１４８】
弁棒２１１の外周面の上部には、ネジ部２１１ａが形成されている。この弁棒２１１のネジ部２１１ａには、揚弁金具２２４（揚弁部材）と、揚弁金具ロックナット２２５とが螺合されている。揚弁金具２２４の位置は、揚弁金具ロックナット２２５によって固定される。
【０１４９】
また、帽子２０４には、第１開放レバー２２６と、第２開放レバー２２７とが設けられている。
【０１５０】
第１開放レバー２２６は水平に延びており、揚弁金具２２４の下側に配設されている。第１開放レバー２２６の先端部２２６ａと、帽子２０４の側面の一方側に形成された回動軸支持部２０４ａには回動軸２２８が挿通されている。従って、第１開放レバー２２６は、回動軸２２８回りに上下に回動することができる。また、第１開放レバー２２６は、基端側が１本の棒状である一方、先端側が二股に分かれて第１レバー部２２６ｃと第２レバー部２２６ｄとになっており、こられの第１レバー部２２６ｃと第２レバー部２２６ｄがそれぞれ弁棒２１１の左右両側において揚弁金具２２４の下側に位置している。
【０１５１】
第２開放レバー２２７はＬ字状に屈曲されており、第１開放レバー２２６の下側に配設されている。第２開放レバー２２７の先端部２２７ａと、帽子２０４の側面の他方側に形成された回動軸支持部２０４ｂには、回動軸２２９が挿通されている。従って、第２開放レバー２２６は、回動軸２２９回りに上下に回動することができる。また、第２開放レバー２２７の屈曲部２２７ｂは、第１開放レバー２２６の基端部２２６ｂの下側から当該基端部２２６ｂに当接している。
【０１５２】
そして、本実施の形態例３の圧力開放弁２０１では、作動（開放）後の圧力開放弁２０１の開放状態を維持するためのクサビ２３１が、ステップリング２２１の側方に配設されている。即ち、本実施の形態例３では、ステップリング２２１を開放状態維持部材として利用している。
【０１５３】
クサビ２３１は、先端側の本体部２３１ａと、基端部２３１ｂとを有し、水平に配設されている。クサビ２３１の本体部２３１ａは、側面視（図１９，図２１）における上下方向の厚さが一定になっている。また、クサビ２３１の本体部２３１ａは、平面視（図２０）がＵ字状になっている。即ち、クサビ２３１の本体部２３１ａは、先端側が二股に分かれて第１支持部２３１ｃと第２支持部２３１ｄとになっている。
【０１５４】
ヨーク脚部２０３ａ，２０３ｂの間において、弁箱２０２の上面２０２ｆには、クサビサポート取付部材２３２がボルト２０５及びナット２０６によって結合されている。
【０１５５】
クサビ用ばね２３５はコイル状のものであり、クサビ２３１の基端部２３１ｂと、クサビサポート取付部材２３２の側面２３２ａとの間に介設され、クサビ２３１をステップリング２２１に向かって水平方向に押圧している。
【０１５６】
圧力開放弁２０１が閉止状態（待機状態）のとき、即ち弁体２１２が弁体用ばね２１５に押圧されて着座（弁座２０２ｅに当接）しているとき、クサビ２３１は、クサビ用ばね２３５に押圧されて、第１支持部２３１ｃと第２支持部２３１ｄがステップリング２２１の外周面２２１ａに当接する。換言すると、クサビサポート取付部材２３２の高さを適宜に設定することによって、圧力開放弁２０１が閉止状態のときにステップリング２２１と、クサビサポート取付部材２３２のクサビサポート２４１上に設けられたクサビ２３１とが互いに当接するようにしている。
【０１５７】
また、クサビ２３１は、二股の底面（第１支持部２３１ｃと第２支持部２３１ｄの間の面）２３１ｅが、弁棒２１１と対向している。
【０１５８】
クサビ２３１の基端部２３１ｂには、クサビ引き出し金具２３３（クサビ引き出し部材）が設けられている。クサビ引き出し金具２３３は、クサビ２３１の基端部２３１ｂに水平に突設された軸部２３３ａと、この軸部２３３ａの先端に設けられた頭部２３３ｂとを有して成るものである。軸部２３３ａはクサビサポート取付部材２３２の側面２３２ａに形成された貫通穴２３２ｂに挿通されてクサビサポート取付部材２３２（側面２３２ａ）の外側へと延びており、頭部２３３ｂはクサビサポート取付部材２３２（側面２３２ａ）の外側に位置している。頭部２３３ｂはクサビ引き出し用治具２４２（図２５〜図２７を参照：詳細後述）に係合させるための部分である。
【０１５９】
また、クサビ２３１の下側にはクサビサポート２４１（クサビ支持部材）が設けられている。クサビ２３１は、クサビサポート２４１の上に設置され、ステップリング２２１に向かって水平に延びている。クサビサポート２４１はクサビ２３１の下側からクサビ２３１を支持するためのものであり、クサビサポート取付部材２３２の下面２３２ｃ上に設けられている。また、クサビサポート２４１は、ステップリング２２１に向かって水平に延びている。また、クサビサポート２４１は、先端側が二股に分かれて第１支持部２４１ａと第２支持部２４１ｂとになっている。従って、クサビサポート２４１は、クサビ２３１を支持するだけでなく、圧力開放弁２０１が作動（開放）したときにクサビ２３１が水平方向に移動（詳細後述）するように案内するクサビガイド部材としての機能も有している。
【０１６０】
なお、本実施の形態例３ではクサビ２３１が露出しているため、覗き窓やクサビ確認用の開口は不要である。
【０１６１】
次に、図２２〜図２４に基づき、圧力開放弁２０１の作動（開放及び開放状態維持）について説明する。
【０１６２】
圧力開放弁２０１が設置されている容器等の機器内の流体（気体又は液体）の圧力が何らかの要因により上昇し、配管２１０及び弁箱２０２の流体入口２０２ａを介して弁体２１２に作用する前記流体の圧力が設定圧力（吹き出し圧力）以上になると、弁体２１２が前記流体の圧力により、弁体用ばね２１５の弾性力（下方への押圧力）に抗して（弁体用ばね２１５を縮めて）押し上げられるため、図２２に示す矢印ａ３のように上方へ移動して開放する（弁座２０２ｅから離れる）。かくして圧力開放弁２０１は開放状態となる。その結果、前記流体が、図２２に示す矢印ｃ３のように流体入口２０２ａから弁箱２０２内に流入した後、図２２に示す矢印ｄ３のように流体出口２０２ｂから弁箱２０２外へと流出するため、前記機器内の流体の圧力が開放される。そして、この作動後の圧力開放弁２０１の開放状態は、次のようにして維持される。
【０１６３】
前記流体の圧力によって弁体２１２が上方へ移動すると、この弁体２１２とともに弁棒２１１も上方へ移動する。従って、これらの弁体２１２及び弁棒２１１とともにステップリング２２１、ばね受け座２１７、揚弁金具２２４及び揚弁金具ロックナット２２５も上方へ移動する。
【０１６４】
その結果、ステップリング２２１へのクサビ２３１の当接が解除される。従って、クサビ２３１は、クサビ用ばね２３５に押圧されることにより、図２２〜図２４に示す矢印ｂ３のようにステップリング２２１の下側へと水平方向に移動し、クサビサポート２４１とともにステップリング２２１の下側からステップリング２２１を支持する。具体的には、弁棒２１１の左右両側において、クサビ２３１の第１支持部２３１ｃと第２支持部２３１ｄとが、ステップリング２２１の下側へ移動してステップリング２２１を支持する。なお、図２２〜図２４ではクサビ２３１が、二股の底面２３１ｅが弁棒２１１に当接するまで水平移動した実施例を示しているが、クサビ２３１によりステップリング２２１を支持すれば、圧力開放弁２０１の開放状態を維持することが可能なため、必ずしも底面２３１ｅを弁棒２１１に当接させる必要はない。
【０１６５】
クサビ２３１とクサビサポート２４１によってステップリング２２１を支持するため、弁体２１２に作用する前記流体の圧力が低下した後も、弁体用ばね２１５の弾性力（下方への押圧力）に抗して、ステップリング２２１が下方へ移動するのを防止することができ、これに伴って弁体２１２、弁棒２１１、ばね受け座２１７、揚弁金具２２４及び揚弁金具ロックナット２２５の下方への移動も防止される。かくして、弁体２１２が着座しないようにすることができ、圧力開放弁２０１の開放状態が維持される。
【０１６６】
また、このときにクサビサポート２４１は、クサビ２３１を支持するだけでなく、クサビ用ばね２３５に押圧されてクサビ２３１が確実に水平移動するようにクサビ２３１を案内する機能も果たす。
【０１６７】
また、作業員が、直接目視で或いは監視カメラなどを用いてクサビ２３１の作動状態を監視することにより、前記流体の圧力が設定圧力以上になって圧力開放弁２０１（弁体２１２）が開放したこと、及び、圧力開放弁２０１（弁体２１２）の開放状態がクサビ２３１及びクサビサポート２４１によって維持されていることを確認する。
【０１６８】
次に、図２５〜図２７に基づき、圧力開放弁２０１の復旧について説明する。
【０１６９】
圧力開放弁２０１を復旧させる際には、まず、作業員の手動操作によって第２開放レバー２２７を、図２５に示す矢印ｅ３のように先端部２２７ａの回動軸２２９回りに上方へ回動させる。その結果、第２開放レバー２２７の屈曲部２２７ｂが第１開放レバー２２６の基端部２２６ｂを押し上げるため、第１開放レバー２２６も図２５に示す矢印ｆ３のように先端部２２６ａの回動軸２２８回りに上方へ回動する。このため、第１開放レバー２２６によって揚弁金具２２４が押し上げられ、且つ、この揚弁金具２２４とともに弁体２１２、弁棒２１１、ステップリング２２１、ばね受け座２１７及び揚弁金具ロックナット２２５も押し上げられる。
【０１７０】
従って、ステップリング２２１などを介してクサビ２３１に作用していた弁体用ばね２１５の弾性力（下方への押圧力）が、解除される。
【０１７１】
このまま状態で、次に作業員はクサビ引き出し金具２３３とクサビ引き出し用治具２４２とを用いて、クサビ２３１の引き出しを行う。クサビ引き出し用治具２４２は、側面視（図２５，図２７）においてＬ字状に屈曲している。また、クサビ引き出し用治具２４２は、基端側が１本である一方、先端側が二股に分かれて第１係合部２４２ａと第２係合部２４２ｂとになっている。
【０１７２】
クサビ２３１を引き出す際には、まず、図２７に２点鎖線で示すようにクサビ引き出し用治具２４２を配置することにより、クサビ引き出し金具２３３の軸部２３３ａの左右両側において、クサビ引き出し用治具２４２の第１係合部２４２ａと第２係合部２４２ｂを、クサビ引き出し金具２３３の頭部２３３ｂに係合させる。この状態で、クサビサポート取付部材２３２の側面２３２ａに当接している屈曲部２４２ｃを支点にして、図２５及び図２７に示す矢印ｇ３のようにクサビ引き出し用治具２４２を下方へ回動させる。
【０１７３】
その結果、このクサビ引き出し用治具２４２により、クサビ引き出し金具２３３がステップリング２２１と反対の方向へ引っ張られるため、図２５〜図２７に示す矢印ｈ３のようにクサビ２３１が、ステップリング２２１の下側から引き出されて作動前の状態（待機状態）に復旧する。
【０１７４】
このままの状態で、次に作業員は第２開放レバー２２７を、図２５に示す矢印ｉ３のように下方へ回動させる。その結果、第１開放レバー２２６及び第２開放レバー２２７による揚弁金具２２４やステップリング２２１などの押し上げが解除される。このため、弁体用ばね２１５の弾性力（下方への押圧力）によって、図２５に示す矢印ｊ３のように第１開放レバー２２６は下方へ回動し、図２５に示す矢印ｋ３のように揚弁金具ロックナット２２５、揚弁金具２２４、ばね受け座２１７、ステップリング２２１、弁棒２１１及び弁体２１２は下方へ移動する。その結果、弁体２１２は弁体用ばね２１５により下方へ押圧されて弁座２０２ｅに当接（着座）した状態になり、ここでクサビ引き出し用治具２４２をクサビ引き出し金具２３３から取り外せば、クサビ２３１はクサビ用ばね２３５により水平に押圧されてステップリング２２１に当接した状態になる。かくして、圧力開放弁２０１は作動前の待機状態（閉止状態）に復旧する。
【０１７５】
以上のように、本実施の形態例３の圧力開放弁２０１によれば、弁棒２１１と弁棒２１１の下端に固定された弁体２１２とを弁体用ばね２５１によって下方へ押圧することにより、弁体２１２が着座して閉止状態となる構成の圧力開放弁２０１において、弁棒２１１に設けられたステップリング２２１と、クサビ２３１と、クサビ２３１の下側からクサビ２３１を支持するクサビサポート２４１と、クサビ２３１をステップリング２２１に向かって水平方向に押圧するクサビ用ばね２３５とを有しており、弁体２１２が着座して閉止状態となっているときには、クサビ２３１がステップリング２２１の外周面２２１ａに当接している一方、弁体２１２及び弁棒２１１が上方へ移動して開放状態となったときには、弁棒２１１とともにステップリング２２１が上方へ移動してステップリング２２１へのクサビ２３１の当接が解除されるため、クサビ２３１が、クサビ用ばね２３５に押圧されてステップリング２２１の下側へと水平方向に移動してクサビサポート２４１とともにステップリング２２１の下側からステップリング２２１を支持することにより、前記開放状態を維持する構成であることを特徴としているため、前記４つの要求を全て満足することができる。
【０１７６】
即ち、圧力開放弁２０１は、電源や空気などの駆動源が無くとも、圧力開放弁２０１が設置された機器の内圧が設定圧力（吹き出し圧力）以上になると、自動的に作動して圧力を開放することができる。従って、圧力開放弁２０１は前記第１要求を満足する。
また、圧力開放弁２０１は、機器に設置する圧力開放弁２０１自身の作動試験を行うことができる。従って、圧力開放弁２０１は前記第２要求も満足する。
また、圧力開放弁２０１は、作動後にステップリング２２１の下側からクサビ２３１を引き出せば待機状態（閉止状態）に復旧するため、再使用が可能である。従って、圧力開放弁２０１は前記第３要求も満足する。
また、圧力開放弁２０１は、作動（開放）後にクサビ２３１及びクサビサポート２４１によってステップリング２２１を支持するため、作動（開放）後に機器内の圧力が低下しても開放状態を維持し、雰囲気圧力まで低下させることができる。従って、圧力開放弁２０１は前記第４要求も満足する。
【０１７７】
また、本実施の形態例３の圧力開放弁２０１によれば、クサビ支持部材として用いたクサビサポート２４１は水平に延びており、クサビ２３１を支持するとともにクサビ２３１の水平移動を案内することを特徴としているため、クサビサポート２４１によって、クサビ２３１を支持するだけなく、より確実にクサビ２３１をステップリング２２１の下側へ水平方向に移動させることができる。
【０１７８】
また、本実施の形態例３の圧力開放弁２０１によれば、クサビ２３１は、クサビ２３１の基端部２３１ｂに水平に突設された軸部２３３ａと、軸部２３３ａの先端に設けられてクサビ引き出し用治具と係合する頭部２３３ｂとを有して成るクサビ引き出し金具２３３を有していることを特徴としているため、クサビ引き出し金具２３３とクサビ引き出し用治具２４２とを用いて、クサビ２３１をステップリング２２１の下側から容易に引き出すことができる。
【０１７９】
また、本実施の形態例３の圧力開放弁２０１によれば、クサビ２３１は、先端側が二股に分かれて第１支持部２３１ｃと第２支持部２３１ｄとになっており、クサビ２３１がクサビ用ばね２３５に押圧されて水平方向に移動したとき、弁棒２１１の左右両側において第１支持部２３１ｃと第２支持部２３１ｄとがステップリング２２１を支持する構成であることを特徴としているため、クサビ２３１の第１支持部２３１ｃと第２支持部２３１ｄとによって、より確実にステップリング２２１を支持することができる。
【０１８０】
また、本実施の形態例３の圧力開放弁２０１によれば、弁棒２１１に設けられて弁体用ばね２１５のばね受け座２１７を支持しているステップリング２２１を、開放状態維持部材として利用していることを特徴としているため、開放状態を維持するための専用の部材を開放状態維持部材として設ける場合に比べて、部品点数の低減などを図ることができる。
【０１８１】
また、本実施の形態例３の圧力開放弁２０１によれば、弁棒２１１に設けられた揚弁金具２２４と、水平に延びており、先端部２２６ａの回動軸２２８回りに上方へ回動して揚弁金具２２４を押し上げる構成の第１開放レバー２２６と、Ｌ字状に屈曲しており、先端部２２７ａの回動軸２２９回りに上方へ回動して屈曲部２２７ｂが第１開放レバー２２６の基端部２２６ｂを押し上げる構成の第２開放レバー２２７とを有することを特徴としているため、第１開放レバー２２６と第２開放レバー２２７によって揚弁金具２２４を押し上げると、ステップリング２２１も上がるため、弁体用ばね２１５の弾性力が非常に強くても、クサビ２３１をステップリング２２１の下側から容易に引き出すことができる。
【０１８２】
＜実施の形態例４＞
本実施の形態例４における上記実施の形態例１との主な相違点は、クサビの形状が異なることと、クサビの取り付け位置が異なることと、ステップリングを開放状態維持部材として利用していることと、クサビが露出しているために覗き窓などが不要であることである。
【０１８３】
図２８〜図３６に基づき、本発明の実施の形態例４に係る圧力開放弁３０１について詳細に説明する。図２８〜図３０には圧力開放弁３０１の待機（閉止）時の状態を示し、図３１〜図３３には圧力開放弁３０１の作動（開放及び開放状態維持）時の状態を示し、図３４〜図３６には圧力開放弁３０１の復旧時の状態を示している。
【０１８４】
まず、図２８〜図３０に基づき、本実施の形態例４の圧力開放弁３０１の構成について説明する。
【０１８５】
圧力開放弁３０１は、弁箱３０２と、弁箱３０２の上に設置されたヨーク３０３と、ヨーク３０３の上に設置された帽子３０４とを有している。弁箱３０２とヨーク３０３はボルト及びナット（図示省略）によって結合され、ヨーク３０３と帽子３０４はボルト３０７及びナット３０８によって結合されている。ヨーク３０３は、左右に２本設けられて上下方向に延びた脚部３０３ａ，３０３ｂを有している。従って、これら２本のヨーク脚部３０３ａ，３０３ｂの間に設けられている弁体用ばね３１５やステップリング３２１などは、露出している。
【０１８６】
弁棒３１１は、弁箱３０２内、ヨーク３０３内（脚部３０３ａ，３０３ｂの間）及び帽子３０４内において中央部に位置し、これらの弁箱３０２から帽子３０４に亘って上下方向（即ち鉛直方向）に延びている。弁箱３０２内に設けられた弁体３１２は、弁棒３１１の下端に固定されており、弁棒３１１とともに上下方向に移動することができる。
【０１８７】
弁箱３０２の下面３０２ｃには流体入口３０２ａが形成され、弁箱３０２の側面３０２ｄには流体出口３０２ｂが形成されている。弁箱３０２の流体入口３０２ａは、内部に気体（例えば不活性ガス）を有する容器などの機器（図示せず）に接続された配管３１０に接続されている。なお、本発明の圧力開放弁３０１は、不活性ガスなどの気体の圧力を開放する場合に限定するものではなく、水などの液体の圧力を開放する場合にも適用することができ、且つ配管３１０を介さず、溶接又はフランジにより直接容器などの機器に接続することも可能である。
【０１８８】
弁箱３０２内には、流体入口３０２ａの周囲を囲むようにして弁座３０２ｅが形成されている。この弁座３０２ｅに弁体３１２の下面３１２ａが当接（着座）すると、圧力開放弁３０１は閉止状態となる一方、弁体３１２の下面３１２ａが弁座３０２ｅから離れると、圧力開放弁３０１は開放状態となる。
【０１８９】
弁箱３０２の上面３０２ｆに形成された貫通穴３０２ｇには、円筒状の弁棒ガイド３１３が嵌挿されている。弁棒３１１は、この弁棒ガイド３１３に軸方向（即ち鉛直方向）へ移動可能に挿通されている。また、弁箱３０２内に設けられたベローズ３１４は、弁棒ガイド３１３及び弁棒３１１の周囲を囲み、上端が弁箱３０２の上面３０２ｆに接続され、下端が弁体３１２の上面３１２ｂに接続されている。このため、弁箱３０２内を流れる流体が弁棒ガイド３１３内を通ってヨーク３０３へ流出するのを、ベローズ３１４によって防ぐことができる。なお、本実施の形態例４は、このベローズ３１４の設置有無によらない。
【０１９０】
ヨーク脚部３０３ａ，３０３ｂの間に設けられた弁体用ばね３１５は、コイル状のものである。ヨーク脚部３０３ａ，３０３ｂの間において、弁体用ばね３１５の上端には円環状のばね押え座３１６が設けられ、弁体用ばね３１５の下端には円環状のばね受け座３１７が設けられている。
【０１９１】
ヨーク脚部３０３ａ，３０３ｂの間において、弁棒３１１の外周面には円板状のステップリング３２１が突設されている（弁棒３１１と一体に形成されている）。ステップリング３２１は、ばね受け座３１７の下側からばね受け座３１７を支持している。
【０１９２】
一方、ヨーク３０３の上面３０３ｄには、調整ネジ３１８のためのネジ穴３０３ｃが形成されている。調整ネジ３１８は円筒状のものであり、外周面にネジ部３１８ａが形成されている。調整ネジ３１８は、そのネジ部３１８ａがネジ穴３０３ｃに螺合されてネジ穴３０３ｃに挿通されている。また、帽子３０４内において、調整ネジ３１８の外周面（ネジ部）３１８ａには調整ネジロックナット３１９が螺合されている。従って、調整ネジ３１８の位置は、調整ネジロックナット３１９によって固定される。また、ヨーク脚部３０３ａ，３０３ｃの間において、調整ネジ３１８はばね押え座３１６に回転可能に連結されている。
【０１９３】
調整ネジ３１８は、弁体用ばね３１５の弾性力（ばね力）を調整することによって圧力開放弁３０１の設定圧力（吹き出し圧力）を調節するためのものである。調整ネジ３１８を一方向へ回転させると、調整ネジ３１８が下方へ移動してばね押え座３１６が押し下げられることにより、弁体用ばね３１５が縮んで弁体用ばね３１５の弾性力が大きくなるため、前記設定圧力が高くなる。調整ネジ３１８を他方向へ回転させると、調整ネジ３１８が上方へ移動してばね押え座３１６が上方へ移動することにより、弁体用ばね３１５が伸びて弁体用ばね３１５の弾性力が小さくなるため、前記設定圧力が低くなる。
【０１９４】
ばね押え座３１６には回り止めピン３２０が突設されている。回り止めピン３２０は、ヨーク脚部３０３ａ，３０３ｂに係止される。このため、調整ネジ３１８を回転させたとき、ばね押え座３１６が調整ネジ３１８とともに回転するのを、回り止めピン３２０によって防止する機能を有している。
【０１９５】
弁棒３１１は、調整ネジ３１８、ばね押え座３１６、弁体用ばね３１５及びばね受け座３１７に軸方向（即ち鉛直方向）へ移動可能に挿通されている。
【０１９６】
弁棒３１１の外周面の上部には、ネジ部３１１ａが形成されている。この弁棒３１１のネジ部３１１ａには、揚弁金具３２４（揚弁部材）と、揚弁金具ロックナット３２５とが螺合されている。揚弁金具３２４の位置は、揚弁金具ロックナット３２５によって固定される。
【０１９７】
また、帽子３０４には、第１開放レバー３２６と、第２開放レバー３２７とが設けられている。
【０１９８】
第１開放レバー３２６は水平に延びており、揚弁金具３２４の下側に配設されている。第１開放レバー３２６の先端部３２６ａと、帽子３０４の側面の一方側に形成された回動軸支持部３０４ａには回動軸３２８が挿通されている。従って、第１開放レバー３２６は、回動軸３２８回りに上下に回動することができる。また、第１開放レバー３２６は、基端側が１本の棒状である一方、先端側が二股に分かれて第１レバー部３２６ｃと第２レバー部３２６ｄとになっており、こられの第１レバー部３２６ｃと第２レバー部３２６ｄがそれぞれ弁棒３１１の左右両側において揚弁金具３２４の下側に位置している。
【０１９９】
第２開放レバー３２７はＬ字状に屈曲されており、第１開放レバー３２６の下側に配設されている。第２開放レバー３２７の先端部３２７ａと、帽子３０４の側面の他方側に形成された回動軸支持部３０４ｂには、回動軸３２９が挿通されている。従って、第２開放レバー３２６は、回動軸３２９回りに上下に回動することができる。また、第２開放レバー３２７の屈曲部３２７ｂは、第１開放レバー３２６の基端部３２６ｂの下側から当該基端部３２６ｂに当接している。
【０２００】
そして、本実施の形態例４の圧力開放弁３０１では、作動（開放）後の圧力開放弁３０１の開放状態を維持するためのクサビ３３１が、ステップリング３２１の側方に配設されている。即ち、本実施の形態例３では、ステップリング３２１を開放状態維持部材として利用している。
【０２０１】
クサビ３３１は、先端部３３１ａと、基端部３３１ｂとを有し、水平に配設されている。また、クサビ３３１は、平面視（図２９）がコ字状になっている。即ち、クサビ３３１は、先端側が二股に分かれて第１支持部３３１ｃと第２支持部３３１ｄとになっている。クサビ３３１の基端部３３１ｂは、側面視（図２８，図３０）における上下方向の厚さが一定になっている。一方、クサビ３３１の先端部３３１ａは、傾斜面３３１ｅ，３３１ｆを有する部分と、これらの傾斜面３３１ｅ，３３１ｆの先から水平に延びた延長部３３１ｇ，３３１ｈとを有している。傾斜面３３１ｅ及び延長部３３１ｇは第１支持部３３１ｃ側に設けられ、傾斜面３３１ｆ及び延長部３３１ｈは第２支持部３３１ｄ側に設けられている。
【０２０２】
傾斜面３３１ｅ，３３１ｆは、ステップリング３２１へ向かうにしたがって下方へ傾斜している。延長部３３１ｇ，３３１ｈは、側面視（図２８，図３０）における上下方向の厚さが一定になっている。
【０２０３】
ヨーク脚部３０３ａ，３０３ｂの間において、弁箱３０２の上面３０２ｆには、クサビサポート取付部材３３２がボルト３０５及びナット３０６によって結合されている。
【０２０４】
クサビ用ばね３３５はコイル状のものであり、クサビ３３１の基端部３３１ｂと、クサビサポート取付部材３３２の側面３３２ａとの間に介設され、クサビ３３１をステップリング３２１に向かって水平方向に押圧している。
【０２０５】
圧力開放弁３０１が閉止状態（待機状態）のとき、即ち弁体３１２が弁体用ばね３１５に押圧されて着座（弁座３０２ｅに当接）しているとき、クサビ３３１は、クサビ用ばね３３５に押圧されて、傾斜面３３１ｅ，３３１ｆがステップリング３２１の外周面３２１ａに当接する。換言すると、クサビサポート取付部材３３２の高さを適宜に設定することによって、圧力開放弁３０１が閉止状態のときにステップリング３２１と、クサビサポート取付部材３３２のクサビサポート３４１上に設けられたクサビ３３１とが互いに当接するようにしている。
【０２０６】
また、クサビ３３１は、二股の底面（第１支持部３３１ｃと第２支持部３３１ｄの間の面）３３１ｉが、弁棒３１１と対向している。
【０２０７】
クサビ３３１の基端部３３１ｂには、クサビ引き出し金具３３３（クサビ引き出し部材）が設けられている。クサビ引き出し金具３３３は、クサビ３３１の基端部３３１ｂに水平に突設された軸部３３３ａと、この軸部３３３ａの先端に設けられた頭部３３３ｂとを有して成るものである。軸部３３３ａはクサビサポート取付部材３３２の側面３３２ａに形成された貫通穴３３２ｂに挿通されてクサビサポート取付部材３３２（側面３３２ａ）の外側へと延びており、頭部３３３ｂはクサビサポート取付部材３３２（側面３３２ａ）の外側に位置している。頭部３３３ｂはクサビ引き出し用治具３４２（図３４〜図３６を参照：詳細後述）に係合させるための部分である。
【０２０８】
また、クサビ３３１の下側にはクサビサポート３４１（クサビ支持部材）が設けられている。クサビ３３１は、クサビサポート３４１の上に設置され、ステップリング３２１に向かって水平に延びている。クサビサポート３４１はクサビ３３１の下側からクサビ３３１を支持するためのものであり、クサビサポート取付部材３３２の下面３３２ｃ上に設けられている。また、クサビサポート３４１は、ステップリング３２１に向かって水平に延びている。また、クサビサポート３４１は、先端側が二股に分かれて第１支持部３４１ａと第２支持部３４１ｂとになっている。従って、クサビサポート３４１は、クサビ３３１を支持するだけでなく、圧力開放弁３０１が作動（開放）したときにクサビ３３１が水平方向に移動（詳細後述）するように案内するクサビガイド部材としての機能も有している。
【０２０９】
クサビ３３１の延長部３３１ｇ，３３１ｈは、上側のステップリング３２１と下側のクサビサポート３４１との間に位置している。換言すると、クサビサポート取付部材３３２の高さを適宜に設定することによって、圧力開放弁３０１が閉止状態のときにクサビ３３１の延長部３３１ｇ，３３１ｈを、ステップリング３２１とクサビサポート３４１の間に配置することができるようにしている。
【０２１０】
なお、本実施の形態例４ではクサビ３３１が露出しているため、クサビ３３１の作動状態を監視するという観点からは、クサビ３３１の延長部３３１ｇ，３３１ｈは必ずしも必要ではなく、削除してもよい。
【０２１１】
また、本実施の形態例４ではクサビ３３１が露出しているため、覗き窓やクサビ確認用の開口は不要である。
【０２１２】
次に、図３１〜図３３に基づき、圧力開放弁３０１の作動（開放及び開放状態維持）について説明する。
【０２１３】
圧力開放弁３０１が設置されている容器等の機器内の流体（気体又は液体）の圧力が何らかの要因により上昇し、配管３１０及び弁箱３０２の流体入口３０２ａを介して弁体３１２に作用する前記流体の圧力が設定圧力（吹き出し圧力）以上になると、弁体３１２が前記流体の圧力により、弁体用ばね３１５の弾性力（下方への押圧力）に抗して（弁体用ばね３１５を縮めて）押し上げられるため、図３１に示す矢印ａ４のように上方へ移動して開放する（弁座３０２ｅから離れる）。かくして圧力開放弁３０１は開放状態となる。その結果、前記流体が、図３１に示す矢印ｃ４のように流体入口３０２ａから弁箱３０２内に流入した後、図３１に示す矢印ｄ４のように流体出口３０２ｂから弁箱３０２外へと流出するため、前記機器内の流体の圧力が開放される。そして、この作動後の圧力開放弁３０１の開放状態は、次のようにして維持される。
【０２１４】
前記流体の圧力によって弁体３１２が上方へ移動すると、この弁体３１２とともに弁棒３１１も上方へ移動する。従って、これらの弁体３１２及び弁棒３１１とともにステップリング３２１、ばね受け座３１７、揚弁金具３２４及び揚弁金具ロックナット３２５も上方へ移動する。
【０２１５】
その結果、ステップリング３２１へのクサビ３３１（傾斜面３３１ｅ，３３１ｆ）の当接が解除される。従って、クサビ３３１は、クサビ用ばね３３５に押圧されることにより、図３１〜図３３に示す矢印ｂ４のようにステップリング３２１の下側へと水平方向に移動し、クサビサポート３４１とともにステップリング３２１の下側からステップリング３２１を支持する。具体的には、弁棒３１１の左右両側において、クサビ３３１の第１支持部３３１ｃの基端部３３１ｂと第２支持部３３１ｄの基端部３３１ｂとが、ステップリング３２１の下側へ移動してステップリング３２１を支持する。なお、図３１〜図３３ではクサビ３３１が、二股の底面３３１ｉが弁棒３１１に当接するまで水平移動した実施例を示しているが、クサビ３３１によりステップリング３２１を支持すれば、圧力開放弁３０１の開放状態を維持することが可能なため、必ずしも底面３３１ｉを弁棒３１１に当接させる必要はない。
【０２１６】
また、クサビ３３１は傾斜面３３１ｅ，３３１ｆを有しており、この傾斜面３３１ｅ，３３１ｆがステップリング３２１に当接しているため、弁体３１２及び弁棒３１１とともにステップリング３２１が上昇し始めると直ぐにクサビ３３１も、クサビ用ばね３３５に押圧されて水平方向に移動し始め、且つ、開放状態維持金具３２２の上昇量（リフト量）が増加するのに応じてクサビ３３１の水平方向への移動量も増加する。
【０２１７】
クサビ３３１とクサビサポート３４１によってステップリング２２１を支持するため、弁体３１２に作用する前記流体の圧力が低下した後も、弁体用ばね３１５の弾性力（下方への押圧力）に抗して、ステップリング３２１が下方へ移動するのを防止することができ、これに伴って弁体３１２、弁棒３１１、ばね受け座３１７、揚弁金具３２４及び揚弁金具ロックナット３２５の下方への移動も防止される。かくして、弁体３１２が着座しないようにすることができ、圧力開放弁３０１の開放状態が維持される。
【０２１８】
また、このときにクサビサポート３４１は、クサビ３３１を支持するだけでなく、クサビ用ばね３３５に押圧されてクサビ３３１が確実に水平移動するようにクサビ３３１を案内する機能も果たす。
【０２１９】
また、作業員が、直接目視で或いは監視カメラなどを用いてクサビ３３１の作動状態を監視することにより、前記流体の圧力が設定圧力以上になって圧力開放弁３０１（弁体３１２）が開放したこと、及び、圧力開放弁３０１（弁体２１２）の開放状態がクサビ３３１及びクサビサポート３４１によって維持されていることを確認する。
【０２２０】
次に、図３４〜図３６に基づき、圧力開放弁３０１の復旧について説明する。
【０２２１】
圧力開放弁３０１を復旧させる際には、まず、作業員の手動操作によって第２開放レバー３２７を、図３４に示す矢印ｅ４のように先端部３２７ａの回動軸３２９回りに上方へ回動させる。その結果、第２開放レバー３２７の屈曲部３２７ｂが第１開放レバー３２６の基端部３２６ｂを押し上げるため、第１開放レバー３２６も図３４に示す矢印ｆ４のように先端部３２６ａの回動軸３２８回りに上方へ回動する。このため、第１開放レバー３２６によって揚弁金具３２４が押し上げられ、且つ、この揚弁金具３２４とともに弁体３１２、弁棒３１１、ステップリング３２１、ばね受け座３１７及び揚弁金具ロックナット３２５も押し上げられる。
【０２２２】
従って、ステップリング３２１などを介してクサビ３３１に作用していた弁体用ばね３１５の弾性力（下方への押圧力）が、解除される。
【０２２３】
このまま状態で、次に作業員はクサビ引き出し金具３３３とクサビ引き出し用治具３４２とを用いて、クサビ３３１の引き出しを行う。クサビ引き出し用治具３４２は、側面視（図３４，図３６）においてＬ字状に屈曲している。また、クサビ引き出し用治具３４２は、基端側が１本である一方、先端側が二股に分かれて第１係合部３４２ａと第２係合部３４２ｂとになっている。
【０２２４】
クサビ３３１を引き出す際には、まず、図３６に２点鎖線で示すようにクサビ引き出し用治具３４２を配置することにより、クサビ引き出し金具３３３の軸部３３３ａの左右両側において、クサビ引き出し用治具３４２の第１係合部３４２ａと第２係合部３４２ｂを、クサビ引き出し金具３３３の頭部３３３ｂに係合させる。この状態で、クサビサポート取付部材３３２の側面３３２ａに当接している屈曲部３４２ｃを支点にして、図３４及び図３６に示す矢印ｇ４のようにクサビ引き出し用治具３４２を下方へ回動させる。
【０２２５】
その結果、このクサビ引き出し用治具３４２により、クサビ引き出し金具３３３がステップリング３２１と反対の方向へ引っ張られるため、図３４〜図３６に示す矢印ｈ４のようにクサビ３３１が、ステップリング３２１の下側から引き出されて作動前の状態（待機状態）に復旧する。
【０２２６】
このままの状態で、次に作業員は第２開放レバー３２７を、図３４に示す矢印ｉ４のように下方へ回動させる。その結果、第１開放レバー３２６及び第２開放レバー３２７による揚弁金具３２４やステップリング３２１などの押し上げが解除される。このため、弁体用ばね３１５の弾性力（下方への押圧力）によって、図３４に示す矢印ｊ４のように第１開放レバー３２６は下方へ回動し、図３４に示す矢印ｋ４のように揚弁金具ロックナット３２５、揚弁金具３２４、ばね受け座３１７、ステップリング３２１、弁棒３１１及び弁体３１２は下方へ移動する。その結果、弁体３１２は弁体用ばね３１５により下方へ押圧されて弁座３０２ｅに当接（着座）した状態になり、ここでクサビ引き出し用治具３４２をクサビ引き出し金具３３３から取り外せば、クサビ３３１（傾斜面１３１ｅ，１３１ｆ）はクサビ用ばね３３５により水平に押圧されてステップリング３２１に当接した状態になる。かくして、圧力開放弁３０１は作動前の待機状態（閉止状態）に復旧する。
【０２２７】
以上のように、本実施の形態例４の圧力開放弁３０１によれば、弁棒３１１と弁棒３１１の下端に固定された弁体３１２とを弁体用ばね３１５によって下方へ押圧することにより、弁体３１２が着座して閉止状態となる構成の圧力開放弁３０１において、弁棒３１１に設けられたステップリング３２１と、クサビ３３１と、クサビ３３１の下側からクサビ３３１を支持するクサビサポート３４１と、クサビ３３１をステップリング３２１に向かって水平方向に押圧するクサビ用ばね３３５とを有しており、弁体３１２が着座して閉止状態となっているときには、クサビ３３１がステップリング３２１の外周面３２１ａに当接している一方、弁体３１２及び弁棒３１１が上方へ移動して開放状態となったときには、弁棒３１１とともにステップリング３２１が上方へ移動してステップリング２２１へのクサビ３３１の当接が解除されるため、クサビ３３１が、クサビ用ばね３３５に押圧されてステップリング３２１の下側へと水平方向に移動してクサビサポート３４１とともにステップリング３２１の下側からステップリング３２１を支持することにより、前記開放状態を維持する構成であることを特徴としているため、前記４つの要求を全て満足することができる。
【０２２８】
即ち、圧力開放弁３０１は、電源や空気などの駆動源が無くとも、圧力開放弁３０１が設置された機器の内圧が設定圧力（吹き出し圧力）以上になると、自動的に作動して圧力を開放することができる。従って、圧力開放弁３０１は前記第１要求を満足する。
また、圧力開放弁３０１は、機器に設置する圧力開放弁３０１自身の作動試験を行うことができる。従って、圧力開放弁３０１は前記第２要求も満足する。
また、圧力開放弁３０１は、作動後にステップリング３２１の下側からクサビ３３１を引き出せば待機状態（閉止状態）に復旧するため、再使用が可能である。従って、圧力開放弁３０１は前記第３要求も満足する。
また、圧力開放弁３０１は、作動（開放）後にクサビ３３１及びクサビサポート３４１によってステップリング３２１を支持するため、作動（開放）後に機器内の圧力が低下しても開放状態を維持し、雰囲気圧力まで低下させることができる。従って、圧力開放弁３０１は前記第４要求も満足する。
【０２２９】
また、本実施の形態例４の圧力開放弁３０１によれば、ステップリング３２１の外周面３２１ａに当接するクサビ３３１の当接面が、ステップリング３２１へ向かうにしたがって下方へ傾斜している傾斜面３３１ｅ，３３１ｆであることを特徴としており、クサビの形状を変更しても圧力開放弁３０１の開放状態を維持することができる。
【０２３０】
また、本実施の形態例４の圧力開放弁３０１によれば、クサビ支持部材として用いたクサビサポート３４１は水平に延びており、クサビ３３１を支持するとともにクサビ３３１の水平移動を案内することを特徴としているため、クサビサポート３４１によって、クサビ３３１を支持するだけなく、より確実にクサビ３３１をステップリング３２１の下側へ水平方向に移動させることができる。
【０２３１】
また、本実施の形態例４の圧力開放弁３０１によれば、クサビ３３１は、クサビ３３１の基端部３３１ｂに水平に突設された軸部３３３ａと、軸部３３３ａの先端に設けられてクサビ引き出し用治具３４２と係合する頭部３３３ｂとを有して成るクサビ引き出し金具３３３を有していることを特徴としているため、クサビ引き出し金具３３３とクサビ引き出し用治具３４２とを用いて、クサビ３３１をステップリング３２１の下側から容易に引き出すことができる。
【０２３２】
また、本実施の形態例４の圧力開放弁３０１によれば、クサビ３３１は、先端側が二股に分かれて第１支持部３３１ｃと第２支持部３３１ｄとになっており、クサビ３３１がクサビ用ばね３３５に押圧されて水平方向に移動したとき、弁棒３１１の左右両側において第１支持部３３１ｃと第２支持部３３１ｄとがステップリング３２１を支持する構成であることを特徴としているため、クサビ３３１の第１支持部３３１ｃと第２支持部３３１ｄとによって、より確実にステップリング３２１を支持することができる。
【０２３３】
また、本実施の形態例４の圧力開放弁３０１によれば、弁棒３１１に設けられて弁体用ばね３１５のばね受け座３１７を支持しているステップリング３２１を開放状態維持部材として利用していることを特徴としているため、開放状態を維持するための専用の部材を開放状態維持部材として設ける場合に比べて、部品点数の低減などを図ることができる。
【０２３４】
また、本実施の形態例４の圧力開放弁３０１によれば、弁棒３１１に設けられた揚弁金具３２４と、水平に延びており、先端部３２６ａの回動軸３２８回りに上方へ回動して揚弁金具３２４を押し上げる構成の第１開放レバー３２６と、Ｌ字状に屈曲しており、先端部３２７ａの回動軸３２９回りに上方へ回動して屈曲部３２７ｂが第１開放レバー３２６の基端部３２６ｂを押し上げる構成の第２開放レバー３２７とを有することを特徴としているため、第１開放レバー３２６と第２開放レバー３２７によって揚弁金具３２４を押し上げると、ステップリング３２１も上がるため、弁体用ばね３１５の弾性力が非常に強くても、クサビ３３１をステップリング３２１の下側から容易に引き出すことができる。
【０２３５】
なお、上記実施の形態例３，４のようにステップリングを開放状態維持部材として利用する場合、圧力開放弁はヨーク型でステップリングが露出しているほうが望ましいが、必ずしもこれに限定するものではない。ばね箱内にステップリングが設けられている場合であっても、ばね箱の形状を変えれば（例えば上記実施の形態例１，２のクサビ箱と同様にばね箱にクサビ挿入用の開口を設け、この開口にクサビサポート取付部材を結合した形状にすれば）、ステップリングを開放状態維持部材として利用することができる。
【０２３６】
また、上記実施の形態例２では傾斜面を有するクサビに延長部を設け、この延長部がクサビ確認用の開口から箱外へ出るようにしたが、これに限定するものではなく、上記実施の形態例１のような傾斜面を有しないクサビに延長部を設け、この延長部がクサビ確認用の開口から箱外へ出るようにしてもよい。
【０２３７】
また、上記実施の形態例１〜４では、クサビ支持部材としてクサビサポートを用いているが、必ずしもこれに限定するものではなく、クサビを設ける位置などによっては、クサビ専用のクサビサポートではなく、圧力開放弁を構成する部材（クサビ専用ではない部材）をクサビ支持部材とて利用するようにしてもよい。
【０２３８】
また、本発明の圧力開放弁は、特に高度の安全性が要求される原子力発電所などの原子力施設に適用して有用なものであるが、これに限定するものではなく、一般産業でも採用することが可能である。
【産業上の利用可能性】
【０２３９】
本発明は圧力開放弁に関するものであり、原子力施設や一般産業における容器などの機器に設ける圧力開放弁を、電源や空気などの駆動源が無くとも自動的に作動（開放）することができ、且つ、開放状態を維持し、雰囲気圧力まで低下させることができるようにする場合に適用して有用なものである。
【符号の説明】
【０２４０】
１  圧力開放弁
２  弁箱
２ａ  流体入口
２ｂ  流体出口
２ｃ  下面
２ｄ  側面
２ｅ  弁座
２ｆ  上面
２ｇ  貫通穴
３  ばね箱
３ａ  上面
３ｂ  ネジ穴
３ｃ  ピン穴
４  クサビ箱（帽子）
４ａ，４ｂ  回転軸支持部
４ｃ  クサビ挿入用の開口
４ｄ  フランジ部
４ｅ  覗き窓用の開口
４ｆ  フランジ部
５  ボルト
６  ナット
７  ボルト
８  ナット
１０  配管
１１  弁棒
１１ａ  ネジ部
１２  弁体
１２ａ  下面
１２ｂ  上面
１３  弁棒ガイド
１４  ベローズ
１５  弁体用ばね
１６  ばね押え座
１７  ばね受け座
１８  調整ネジ
１８ａ  ネジ部
１９  調整ネジロックナット
２０  回り止めピン
２１  ステップリング
２２  開放状態維持金具
２２ａ  外周面
２３  開放状態維持金具ロックナット
２４  揚弁金具
２５  揚弁金具ロックナット
２６  第１開放レバー
２６ａ  先端部
２６ｂ  基端部
２６ｃ  第１レバー部
２６ｄ  第２レバー部
２７  第２開放レバー
２７ａ  先端部
２７ｂ  屈曲部
２８，２９  回動軸
３１  クサビ
３１ａ  本体部
３１ｂ  基端部
３１ｃ  第１支持部
３１ｄ  第２支持部
３１ｅ  二股の底面
３２  クサビサポート取付部材
３２ａ  フランジ部
３２ｂ  側面
３２ｃ  貫通穴
３２ｄ  下面
３３  クサビ引き出し金具
３３ａ  軸部
３３ｂ  頭部
３４  ナット
３５  クサビ用ばね
３６  覗き窓
３７  窓ガラス
３８  押え板
３９  ボルト
４０  ナット
４１  クサビサポート
４１ａ  第１支持部
４１ｂ  第２支持部
４２  クサビ引き出し用治具
４２ａ  第１係合部
４２ｂ  第２係合部
４２ｃ  屈曲部
４３  ボルト
１０１  圧力開放弁
１０２  弁箱
１０２ａ  流体入口
１０２ｂ  流体出口
１０２ｃ  下面
１０２ｄ  側面
１０２ｅ  弁座
１０２ｆ  上面
１０２ｇ  貫通穴
１０３  ばね箱
１０３ａ  上面
１０３ｂ  ネジ穴
１０３ｃ  ピン穴
１０４  クサビ箱（帽子）
１０４ａ，１０４ｂ  回転軸支持部
１０４ｃ  クサビ挿入用の開口
１０４ｄ  フランジ部
１０４ｅ  クサビ確認用の開口
１０５  ボルト
１０６  ナット
１０７  ボルト
１０８  ナット
１１０  配管
１１１  弁棒
１１１ａ  ネジ部
１１２  弁体
１１２ａ  下面
１１２ｂ  上面
１１３  弁棒ガイド
１１４  ベローズ
１１５  弁体用ばね
１１６  ばね押え座
１１７  ばね受け座
１１８  調整ネジ
１１８ａ  ネジ部
１１９  調整ネジロックナット
１２０  回り止めピン
１２１  ステップリング
１２２  開放状態維持金具
１２２ａ  外周面
１２３  開放状態維持金具ロックナット
１２４  揚弁金具
１２５  揚弁金具ロックナット
１２６  第１開放レバー
１２６ａ  先端部
１２６ｂ  基端部
１２６ｃ  第１レバー部
１２６ｄ  第２レバー部
１２７  第２開放レバー
１２７ａ  先端部
１２７ｂ  屈曲部
１２８，１２９  回動軸
１３１  クサビ
１３１ａ  本体部
１３１ｂ  基端部
１３１ｃ  第１支持部
１３１ｄ  第２支持部
１３１ｅ，１３１ｆ  傾斜面
１３１ｇ，１３１ｈ  延長部
１３１ｉ  二股の底面
１３２  クサビサポート取付部材
１３２ａ  フランジ部
１３２ｂ  側面
１３２ｃ  貫通穴
１３２ｄ  下面
１３３  クサビ引き出し金具
１３３ａ  軸部
１３３ｂ  頭部
１３４  ナット
１３５  クサビ用ばね
１４１  クサビサポート
１４１ａ  第１支持部
１４１ｂ  第２支持部
１４２  クサビ引き出し用治具
１４２ａ  第１係合部
１４２ｂ  第２係合部
１４２ｃ  屈曲部
１４３  ボルト
２０１  圧力開放弁
２０２  弁箱
２０２ａ  流体入口
２０２ｂ  流体出口
２０２ｃ  下面
２０２ｄ  側面
２０２ｅ  弁座
２０２ｆ  上面
２０２ｇ  貫通穴
２０３  ヨーク
２０３ａ，２０３ｂ  脚部
２０３ｃ  ネジ穴
２０３ｄ  上面
２０４  帽子
２０４ａ，２０４ｂ  回転軸支持部
２０５  ボルト
２０６  ナット
２０７  ボルト
２０８  ナット
２１０  配管
２１１  弁棒
２１１ａ  ネジ部
２１２  弁体
２１２ａ  下面
２１２ｂ  上面
２１３  弁棒ガイド
２１４  ベローズ
２１５  弁体用ばね
２１６  ばね押え座
２１７  ばね受け座
２１８  調整ネジ
２１８ａ  ネジ部
２１９  調整ネジロックナット
２２０  回り止めピン
２２１  ステップリング
２２１ａ  外周面
２２４  揚弁金具
２２５  揚弁金具ロックナット
２２６  第１開放レバー
２２６ａ  先端部
２２６ｂ  基端部
２２６ｃ  第１レバー部
２２６ｄ  第２レバー部
２２７  第２開放レバー
２２７ａ  先端部
２２７ｂ  屈曲部
２２８，２２９  回動軸
２３１  クサビ
２３１ａ  本体部
２３１ｂ  基端部
２３１ｃ  第１支持部
２３１ｄ  第２支持部
２３１ｅ  二股の底面
２３２  クサビサポート取付部材
２３２ａ  側面
２３２ｂ  貫通穴
２３２ｃ  下面
２３３  クサビ引き出し金具
２３３ａ  軸部
２３３ｂ  頭部
２３５  クサビ用ばね
２４１  クサビサポート
２４１ａ  第１支持部
２４１ｂ  第２支持部
２４２  クサビ引き出し用治具
２４２ａ  第１係合部
２４２ｂ  第２係合部
２４２ｃ  屈曲部
３０１  圧力開放弁
３０２  弁箱
３０２ａ  流体入口
３０２ｂ  流体出口
３０２ｃ  下面
３０２ｄ  側面
３０２ｅ  弁座
３０２ｆ  上面
３０２ｇ  貫通穴
３０３  ヨーク
３０３ａ，３０３ｂ  脚部
３０３ｃ  ネジ穴
３０３ｄ  上面
３０４  帽子
３０４ａ，３０４ｂ  回転軸支持部
３０５  ボルト
３０６  ナット
３０７  ボルト
３０８  ナット
３１０  配管
３１１  弁棒
３１１ａ  ネジ部
３１２  弁体
３１２ａ  下面
３１２ｂ  上面
３１３  弁棒ガイド
３１４  ベローズ
３１５  弁体用ばね
３１６  ばね押え座
３１７  ばね受け座
３１８  調整ネジ
３１８ａ  ネジ部
３１９  調整ネジロックナット
３２０  回り止めピン
３２１  ステップリング
３２１ａ  外周面
３２４  揚弁金具
３２５  揚弁金具ロックナット
３２６  第１開放レバー
３２６ａ  先端部
３２６ｂ  基端部
３２６ｃ  第１レバー部
３２６ｄ  第２レバー部
３２７  第２開放レバー
３２７ａ  先端部
３２７ｂ  屈曲部
３２８，３２９  回動軸
３３１  クサビ
３３１ａ  本体部
３３１ｂ  基端部
３３１ｃ  第１支持部
３３１ｄ  第２支持部
３３１ｅ，１３１ｆ  傾斜面
３３１ｇ，１３１ｈ  延長部
３３１ｉ  二股の底面
３３２  クサビサポート取付部材
３３２ａ  側面
３３２ｂ  貫通穴
３３２ｃ  下面
３３３  クサビ引き出し金具
３３３ａ  軸部
３３３ｂ  頭部
３３５  クサビ用ばね
３４１  クサビサポート
３４１ａ  第１支持部
３４１ｂ  第２支持部
３４２  クサビ引き出し用治具
３４２ａ  第１係合部
３４２ｂ  第２係合部
３４２ｃ  屈曲部
【図１】
2014047790.tif 000003
【図２】
2014047790.tif 000004
【図３】
2014047790.tif 000005
【図４】
2014047790.tif 000006
【図５】
2014047790.tif 000007
【図６】
2014047790.tif 000008
【図７】
2014047790.tif 000009
【図８】
2014047790.tif 000010
【図９】
2014047790.tif 000011
【図１０】
2014047790.tif 000012
【図１１】
2014047790.tif 000013
【図１２】
2014047790.tif 000014
【図１３】
2014047790.tif 000015
【図１４】
2014047790.tif 000016
【図１５】
2014047790.tif 000017
【図１６】
2014047790.tif 000018
【図１７】
2014047790.tif 000019
【図１８】
2014047790.tif 000020
【図１９】
2014047790.tif 000021
【図２０】
2014047790.tif 000022
【図２１】
2014047790.tif 000023
【図２２】
2014047790.tif 000024
【図２３】
2014047790.tif 000025
【図２４】
2014047790.tif 000026
【図２５】
2014047790.tif 000027
【図２６】
2014047790.tif 000028
【図２７】
2014047790.tif 000029
【図２８】
2014047790.tif 000030
【図２９】
2014047790.tif 000031
【図３０】
2014047790.tif 000032
【図３１】
2014047790.tif 000033
【図３２】
2014047790.tif 000034
【図３３】
2014047790.tif 000035
【図３４】
2014047790.tif 000036
【図３５】
2014047790.tif 000037
【図３６】
2014047790.tif 000038